(57)【要約】  放送受信装置は、放送番組を識別するための番組識別情報と、放送番組が記憶されているサーバ装置を特定するための格納先情報とを録画コンテンツ記憶領域に記憶する番組録画実行部と、番組格納先情報から特定されるサーバ装置へ、番組識別情報と、番組格納先情報とを送信する、受信機能実行部と、サーバ装置から送信された放送番組の音声情報と映像情報とを出力する出力部と、を有する。
2016059681.tif 000002
【特許請求の範囲】
【請求項１】
放送番組を識別するための番組識別情報と、前記放送番組が記憶されているサーバ装置を特定するための番組格納先情報とを取得し、取得した前記番組識別情報と、前記番組格納先情報とを録画コンテンツ記憶領域に記憶する番組録画実行部と、
前記録画コンテンツ記憶領域に記憶されている前記番組識別情報と、前記番組格納先情報とを取得し、取得した前記番組格納先情報から特定されるサーバ装置へ、前記番組識別情報と、前記番組格納先情報とを送信する、受信機能実行部と、
前記サーバ装置から送信された前記放送番組の音声情報と映像情報とを出力する出力部と、
を有する、放送受信装置。
【請求項２】
請求項１に記載の放送受信装置において、
前記番組録画実行部は、前記番組識別情報と、前記番組格納先情報とを放送波から取得する、放送受信装置。
【請求項３】
請求項１に記載の放送受信装置において、
前記番組録画実行部は、前記番組識別情報と、前記番組格納先情報とをＥＰＧに関する番組情報データ列から取得する、放送受信装置。
【請求項４】
請求項３に記載の放送受信装置において、
前記番組録画実行部は、現在時刻と、前記番組情報データ列に含まれる再生開始可能日時情報とに基づき、現在の時刻が、再生開始可能な時刻かを判定し、
前記受信機能実行部は、前記番組録画実行部が現在の時刻が再生可能な時刻であると判定する場合に、前記放送番組が記憶されているサーバ装置へ、前記番組識別情報と、前記番組格納先情報とを送信する、放送受信装置。
【請求項５】
請求項１に記載の放送受信装置において、
前記サーバ装置にアクセスするのに必要な認証情報が記憶されている認証情報記憶領域をさらに有し、
前記受信機能実行部は、前記認証情報記憶領域から取得した前記認証情報を、前記番組格納先情報から特定されるサーバ装置へ送信する、
放送受信装置。
【請求項６】
請求項１に記載の放送受信装置において、
前記受信機能実行部は、前記サーバ装置から映像コンテンツを受信するか、録画コンテンツ記憶領域に記憶されている録画番組を読み出すかを選択する入力を受け付けるコンテンツ配信確認画面を映像表示部に表示させる、放送受信装置。
【請求項７】
番組録画実行部と、受信機能実行部と、出力部と、を有する放送受信装置における放送受信方法であって、
前記番組録画実行部が、放送番組を識別するための番組識別情報と、前記放送番組が記憶されているサーバ装置を特定するための番組格納先情報とを取得し、取得した前記番組識別情報と、前記番組格納先情報とを録画コンテンツ記憶領域に記憶する録画ステップと、
前記受信機能実行部が、前記録画コンテンツ記憶領域に記憶されている前記番組識別情報と、前記番組格納先情報とを取得し、取得した前記番組格納先情報から特定されるサーバ装置へ、前記番組識別情報と、前記番組格納先情報とを送信する、放送番組要求ステップと、
前記出力部が、前記サーバ装置から送信された前記放送番組の音声情報と映像情報とを出力する放送番組再生ステップと、
を有する、放送受信方法。
【請求項８】
番組録画実行部と、受信機能実行部と、出力部と、を有する放送受信装置のコンピュータに実行させる放送受信プログラムであって、
前記番組録画実行部が、放送番組を識別するための番組識別情報と、前記放送番組が記憶されているサーバ装置を特定するための番組格納先情報とを取得し、取得した前記番組識別情報と、前記番組格納先情報とを録画コンテンツ記憶領域に記憶する録画ステップと、
前記受信機能実行部が、前記録画コンテンツ記憶領域に記憶されている前記番組識別情報と、前記番組格納先情報とを取得し、取得した前記番組格納先情報から特定されるサーバ装置へ、前記番組識別情報と、前記番組格納先情報とを送信する、放送番組要求ステップと、
前記出力部が、前記サーバ装置から送信された前記放送番組の音声情報と映像情報とを出力する放送番組再生ステップと、を
放送受信装置のコンピュータに実行させる、放送受信プログラム。
【発明の詳細な説明】
【技術分野】
【０００１】
本発明は、放送受信装置および放送受信方法ならびに放送受信プログラムに関する。
【背景技術】
【０００２】
デジタル放送の放送番組を光ディスク等の記録メディアやＨＤＤ（Ｈａｒｄ  Ｄｉｓｃ  Ｄｒｉｖｅ）等のストレージデバイスに記録する録画装置が、普及している。録画装置は、録画した放送番組を再生することで、放送番組のタイムシフト視聴を可能とする。【０００３】
特開２００８−２８９０５７公報（特許文献１）に記載されている技術は、選択されているチャンネルの放送番組を録画するとともに再生し、放送番組の放送が終了した時に録画された放送番組を消去する。また、特許文献１に記載されている技術は、放送番組を録画したいと考えたユーザが、放送番組の再生中に指定キーを操作し、この結果、放送番組の放送が終了した時に、録画された放送番組の消去を禁止する。これによって、特許文献１に記載されている技術では、既に開始されている放送番組の先頭位置からの録画を可能としている。
【先行技術文献】
【特許文献】
【０００４】
【特許文献１】特開２００８−２８９０５７公報
【発明の概要】
【発明が解決しようとする課題】
【０００５】
特許文献１に記載されている技術では、視聴中の放送番組の全てを録画した後に、不要な放送番組を消去する。そのため、特許文献１に記載されている技術では、ユーザが録画したいと考えない番組についても録画し、無駄な処理が発生していた。【０００６】
本発明の目的は、より有用な録画処理や再生処理を可能とする放送受信装置を提供することである。
【課題を解決するための手段】
【０００７】
前記課題を解決するための手段として、請求の範囲に記載された技術を用いる。【０００８】
一例を挙げるならば、放送受信装置は、放送番組を識別するための番組識別情報と、前記放送番組が記憶されているサーバ装置を特定するための番組格納先情報とを取得し、取得した前記番組識別情報と、前記番組格納先情報とを録画コンテンツ記憶領域に記憶する番組録画実行部を有する。また、放送受信装置は、前記録画コンテンツ記憶領域に記憶されている前記番組識別情報と、前記番組格納先情報とを取得し、取得した前記番組格納先情報から特定されるサーバ装置へ、前記番組識別情報と、前記番組格納先情報とを送信する、受信機能実行部を有する。また、放送受信装置は、前記サーバ装置から送信された前記放送番組の音声情報と映像情報とを出力する出力部を有する。
【発明の効果】
【０００９】
本願において開示される発明のうち、代表的なものによって得られる効果を簡単に説明すれば以下のとおりである。【００１０】
本発明の一実施の形態によれば、より有用な録画処理や再生処理を可能とする放送受信装置を提供することができる。
【図面の簡単な説明】
【００１１】
【図１】実施例に係る通信システムのシステム構成図である。
【図２Ａ】実施例に係る放送受信装置のブロック図である。
【図２Ｂ】実施例に係る放送受信装置のソフトウェア構成図である。
【図２Ｃ】実施例に係る予約情報テーブルのデータ形式を説明する概念図である。
【図２Ｄ】実施例に係る録画番組情報テーブルのデータ形式を説明する概念図である。
【図３】実施例に係る放送局サーバのブロック図である。
【図４Ａ】実施例に係るサービス事業者サーバのブロック図である。
【図４Ｂ】実施例に係るコンテンツ情報テーブルのデータ形式を説明する概念図である。
【図５】実施例に係る放送受信装置の録画予約処理時の動作シーケンス図である。
【図６】実施例に係る放送受信装置の電子番組表表示画面の画面表示図である。
【図７】実施例に係る放送受信装置の番組詳細情報表示画面の画面表示図である。
【図８】実施例に係る放送受信装置の予約録画処理時の動作シーケンス図である。
【図９】実施例に係る放送受信装置の録画番組再生処理時の動作シーケンス図である。
【図１０】実施例に係る放送受信装置の録画番組一覧表示画面の画面表示図である。
【図１１】実施例に係る放送受信装置の録画予約処理及び予約録画処理時の動作シーケンス図である。
【図１２】実施例に係る放送受信装置の録画番組再生処理時の動作シーケンス図である。
【図１３】実施例に係る放送受信装置の録画番組再生処理時の動作シーケンス図である。
【図１４Ａ】実施例に係る放送受信装置のソフトウェア構成図である。
【図１４Ｂ】実施例に係る認証情報テーブルのデータ形式を説明する概念図である。
【図１５Ａ】実施例に係るサービス事業者サーバのブロック図である。
【図１５Ｂ】実施例に係るユーザ情報テーブルのデータ形式を説明する概念図である。
【図１６】実施例に係る放送受信装置の予約録画処理時の動作シーケンス図である。
【図１７】実施例に係る放送受信装置の録画番組再生処理時の動作シーケンス図である。
【図１８】実施例に係る放送受信装置の録画番組再生処理時の動作シーケンス図である。
【図１９】実施例に係る放送受信装置のコンテンツ配信確認画面の画面表示図である。
【発明を実施するための形態】
【００１２】
以下、本発明の実施形態の例を、図面を用いて説明する。
【実施例１】
【００１３】
先ず、本実施例の放送受信装置で受信可能なデジタル放送サービスの一例を説明する。【００１４】
例えば、本実施例の放送受信装置で受信可能なＢＳ／地上デジタル放送の一例では、一つのトランスポンダ（周波数チャンネル）に複数のトランスポートストリーム（Ｔｒａｎｓｐｏｒｔ  Ｓｔｒｅａｍ：ＴＳ）を多重化して伝送可能である。ＴＳは、映像／音声エレメンタリストリーム（Ｅｌｅｍｅｎｔａｒｙ  Ｓｔｒｅａｍ：ＥＳ）やプログラム固有情報（Ｐｒｏｇｒａｍ  Ｓｐｅｃｉｆｉｃ  Ｉｎｆｏｒｍａｔｉｏｎ：ＰＳＩ）／サービス情報（Ｓｅｒｖｉｃｅ  Ｉｎｆｏｒｍａｔｉｏｎ：ＳＩ）等のデータ列を分割してＴＳヘッダを付加した所定長のＴＳパケットの連続である。【００１５】
ＰＳＩは、ＭＰＥＧ（Ｍｏｖｉｎｇ  Ｐｉｃｔｕｒｅ  Ｅｘｐｅｒｔｓ  Ｇｒｏｕｐ）−２システムの規格で規定された、ＴＳに含まれる各ＥＳがどのプログラムに属するかを識別するための固有情報テーブルである。ＰＳＩは、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＣＡＴ（Ｃｏｎｄｉｔｉｏｎａｌ  Ａｃｃｅｓｓ  Ｔａｂｌｅ）、等で構成される。ＰＡＴは、ＴＳ内に含まれるプログラム一覧をＰＭＴのＰＩＤ（Ｐａｃｋｅｔ  Ｉｄｅｎｔｉｆｉｅｒ）で規定する。ＰＭＴは、各プログラムの構成要素のＰＩＤの規定等を行う。ＣＡＴは、限定受信に関する情報を含む。【００１６】
また、ＳＩはＰＳＩを拡張して番組情報等を含めたものであり、社団法人電波産業会（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ：ＡＲＩＢ）がＡＲＩＢ  ＳＴＤ−Ｂ１０で規定した電子番組表（Ｅｌｅｃｔｒｏｎｉｃ  Ｐｒｏｇｒａｍ  Ｇｕｉｄｅ：ＥＰＧ）に関する情報を備える。ＳＩは、ＢＩＴ（Ｂｒｏａｄｃａｓｔｅｒ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＥＩＴ（Ｅｖｅｎｔ  Ｉｎｆｏｒｍａｔｉｏｎ  Ｔａｂｌｅ）、ＴＯＴ（Ｔｉｍｅ  Ｏｆｆｓｅｔ  Ｔａｂｌｅ）、等で構成される。ＢＩＴは、放送局識別情報や系列情報、放送局のＳＩ送信情報等を含む。ＳＤＴは、ネットワークを識別するためのネットワークＩＤやＴＳを識別するためのＴＳ  ＩＤ、ネットワーク内で個々のサービス（所謂チャンネル）を識別するためのサービスＩＤ（所謂チャンネル番号）等の情報を含む。ＥＩＴは、ネットワーク内で個々のサービスを識別するためのサービスＩＤと、各イベント（所謂番組）の名称や放送日時、放送内容等、イベントに関する情報を含む。ＴＯＴは、現在の日付、時刻に関する情報を含む。【００１７】
また、ＴＳは、復号器における再生タイミングの基準となるＰＣＲ（Ｐｒｏｇｒａｍ  Ｃｌｏｃｋ  Ｒｅｆｅｒｅｎｃｅ）情報や、ＡＲＩＢ  ＳＴＤ−Ｂ２４で規定されたＢＭＬ（Ｂｒｏａｄｃａｓｔ  Ｍａｒｋｕｐ  Ｌａｎｇｕａｇｅ）仕様に基づいてサブセット化されたＢＭＬ文書等を含む。【００１８】
本実施例の放送受信装置では、前記映像／音声ＥＳや各種情報等で構成されたＴＳを受信して復号することにより、放送番組やＥＰＧ、ＢＭＬを用いて制作されたデータ放送画面等をユーザに提供することが可能である。【００１９】
また、本実施例の放送受信装置は、デジタル放送サービスにブロードバンドネットワークを利用した機能を連携させ、ブロードバンドネットワークを介した付加コンテンツの取得やサーバ装置における演算処理、携帯端末機器との連携による提示処理等をデジタル放送サービスと組み合わせる放送通信連携システムに対応可能である。前記放送通信連携システムを実現するために、本実施例の放送受信装置はＨＴＭＬ（Ｈｙｐｅｒ  Ｔｅｘｔ  Ｍａｒｋｕｐ  Ｌａｎｇｕａｇｅ）等で記述されたアプリケーションを実行することが可能であるものとする。また、本放送受信装置が対応する放送通信連携システムでは、拡張したＢＭＬ仕様や放送通信連携システムにおけるアプリケーション制御情報（Ａｐｐｌｉｃａｔｉｏｎ  Ｉｎｆｏｒｍａｔｉｏｎ  Ｔａｂｌｅ：ＡＩＴ）及びアプリケーションを放送波で伝送する場合に必要な拡張ＰＳＩ／ＳＩ情報を用いる。なお、ＡＩＴは、アプリケーションの取得先等のアプリケーションを起動するために必要な各種情報や、アプリケーションの起動／終了等を制御する制御情報を提供または周知するための情報である。【００２０】
以上の説明は日本国のデジタル放送サービスをベースにしたものであるが、本実施例の放送受信装置が対応する放送通信連携システムを含め、日本国内のみの適用に限定されるものではない。【００２１】
次に、本実施例における実施形態の具体的な構成例の説明を行う。【００２２】
［システム構成］
図１は、本実施例の放送受信装置を含む通信システムの一例を示すシステム構成図である。本実施例の通信システムは、放送受信装置１００とアンテナ１００Ａ、インターネット等のブロードバンドネットワーク２００及びルータ装置２００Ｒ、放送局の電波塔３００Ｔ、放送局サーバ３００、サービス事業者サーバ４００、その他のアプリケーションサーバ５００、で構成される。【００２３】
放送受信装置１００は、既存のデジタル放送受信機能に加え、前記放送通信連携システムに対応する機能を有するテレビ受信機である。放送受信装置１００は、電波塔３００Ｔから送出された放送波を、アンテナ１００Ａを介して受信する。また、放送受信装置１００は、ルータ装置２００Ｒを介してインターネット２００と接続可能であり、インターネット２００上の各サーバ装置との通信によるデータの送受信が可能である。ルータ装置２００Ｒは、インターネット２００と有線通信により接続され、また、放送受信装置１００とは無線通信または有線通信で接続される。【００２４】
電波塔３００Ｔは、放送局の放送設備からデジタル放送信号、ＡＩＴ、アプリケーション提示に関する制御情報、等を含む放送波を送出する。なお、前記アプリケーション提示に関する制御情報とは、テレビ受信機上における放送番組とアプリケーションの重ね合わせやアプリケーションの提示可否に関する制御情報である。また、前記放送局は放送局サーバ３００を備えるものとする。放送局サーバ３００は、放送番組（番組コンテンツ等）及び各放送番組の番組タイトル、番組ＩＤ、番組概要、出演者、放送日時、等のメタデータを記憶し、前記番組コンテンツ等や各メタデータを、契約に基づいて、サービス事業者に対して提供することが可能であるものとする。なお、前記サービス事業者に対する前記番組コンテンツ等及び各メタデータの提供は、放送局サーバ３００が備えるＡＰＩ（Ａｐｐｌｉｃａｔｉｏｎ  Ｐｒｏｇｒａｍｍｉｎｇ  Ｉｎｔｅｒｆａｃｅ）を通して行われるものであって良い。【００２５】
サービス事業者サーバ４００は、サービス事業者が前記放送通信連携システムによるサービスやコンテンツ配信のサービス等を提供するために用意するサーバ装置である。サービス事業者サーバ４００は、放送局サーバ３００から提供された番組コンテンツ等やメタデータと、放送通信連携システム用に制作されたコンテンツ及びアプリケーションの記憶、管理及び配信等を行う。また、テレビ受信機からの問い合わせに対して、提供可能なアプリケーションの検索や一覧の提供を行う機能も有する。なお、前記番組コンテンツ等やメタデータの記憶、管理及び配信と、前記アプリケーションの記憶、管理及び配信は、異なるサーバ装置が行うものであっても良い。前記放送局と前記サービス事業者は同一であっても良いし、異なる事業者であっても良い。サービス事業者サーバ４００は、異なるサービス毎に複数用意されても良い。また、サービス事業者サーバ４００の機能は、放送局サーバ３００が兼ね備えるものであっても良い。【００２６】
その他のアプリケーションサーバ５００は、前記放送通信連携システムに関連する以外の一般的なアプリケーションや動作プログラム、コンテンツ、データの記憶、管理及び配信等を行う公知のサーバ装置である。その他のアプリケーションサーバ５００は、インターネット２００上に複数あって良い。【００２７】
［放送受信装置のハードウェア構成］
図２Ａは、放送受信装置１００の内部構成の一例を示すブロック図である。放送受信装置１００は、主制御部１０１、システムバス１０２、ＲＯＭ１０３、ＲＡＭ１０４、ストレージ部１１０、ＬＡＮ通信部１２１、拡張インタフェース部１２４、チューナ／復調部１３１、分離部１３２、映像復号部１３３、音声復号部１３４、字幕復号部１３５、データ放送受信処理部１４１、データ放送エンジン１４２、アプリケーション制御部１４３、アプリケーションエンジン１４４、コンテンツ処理部１５１、映像重畳部１６１、音声選択部１６２、映像表示部１６３、スピーカ１６４、で構成される。【００２８】
主制御部１０１は、所定の動作プログラムに従って放送受信装置１００全体を制御するマイクロプロセッサユニットである。システムバス１０２は主制御部１０１と放送受信装置１００内の各動作ブロックとの間でデータ送受信を行うためのデータ通信路である。【００２９】
ＲＯＭ（Ｒｅａｄ  Ｏｎｌｙ  Ｍｅｍｏｒｙ）１０３は、オペレーティングシステムなどの基本動作プログラムやその他の動作プログラムが格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。ＲＡＭ（Ｒａｎｄｏｍ  Ａｃｃｅｓｓ  Ｍｅｍｏｒｙ）１０４は基本動作プログラムやその他の動作プログラム実行時のワークエリアとなる。ＲＯＭ１０３及びＲＡＭ１０４は主制御部１０１と一体構成であっても良い。また、ＲＯＭ１０３は、図２Ａに示したような独立構成とはせず、ストレージ部１１０内の一部記憶領域を使用するようにしても良い。【００３０】
ストレージ部１１０は、放送受信装置１００の動作プログラムや動作設定値、放送受信装置１００のユーザの個人情報等を記憶する。また、ネットワーク上からダウンロードした動作プログラムや前記動作プログラムで作成した各種データ等を記憶可能である。また、放送波から取得した、或いは、ネットワーク上からダウンロードした、動画、静止画、音声等のコンテンツも記憶可能である。ストレージ部１１０の一部領域を以ってＲＯＭ１０３の機能の全部または一部を代替しても良い。また、ストレージ部１１０は、放送受信装置１００に外部から電源が供給されていない状態であっても記憶している情報を保持する必要がある。したがって、例えば、フラッシュＲＯＭやＳＳＤ（Ｓｏｌｉｄ  Ｓｔａｔｅ  Ｄｒｉｖｅ）などの半導体素子メモリ、ＨＤＤ（Ｈａｒｄ  Ｄｉｓｃ  Ｄｒｉｖｅ）などの磁気ディスクドライブ、等のデバイスが用いられる。【００３１】
なお、ＲＯＭ１０３やストレージ部１１０に記憶された前記各動作プログラムは、インターネット２００上の各サーバ装置からのダウンロード処理により更新及び機能拡張することが可能であるものとする。【００３２】
ＬＡＮ（Ｌｏｃａｌ  Ａｒｅａ  Ｎｅｔｗｏｒｋ）通信部１２１は、ルータ装置２００Ｒを介してインターネット２００と接続され、インターネット２００上の各サーバ装置とデータの送受信を行う。ルータ装置２００Ｒとの接続は有線接続であっても良いし、Ｗｉ−Ｆｉ（登録商標）等の無線接続であっても良い。ＬＡＮ通信部１２１は符号回路や復号回路等を備えるものとする。また、放送受信装置１００が、ＢｌｕｅＴｏｏｔｈ（登録商標）通信部やＮＦＣ通信部、赤外線通信部等、他の通信部を更に備えていても良い。【００３３】
チューナ／復調部１３１は、アンテナ１００Ａを介して電波塔３００Ｔから放送波を受信し、主制御部１０１の制御に基づいてユーザの所望するサービスのチャンネルに同調（選局）する。更に、チューナ／復調部１３１は、受信した放送信号を復調してＴＳを取得する。なお、図２Ａに示した例では、チューナ／復調部が一つである構成を例示しているが、複数画面同時表示や裏番組録画等を目的として、放送受信装置１００がチューナ／復調部を複数搭載する構成としても良い。また、主制御部１０１の制御に基づいて、前記復調したＴＳに対するアクセス制限の制御等を行っても良い。【００３４】
分離部１３２は、チューナ／復調部１３１から出力されたＴＳを入力し、映像データ列、音声データ列、字幕データ列、番組情報データ列、ＡＩＴデータ列、ＢＭＬデータ列、等の各データ列に分離して出力する。これらのデータ列は、例えば、ＥＳ形式であって良い。映像復号部１３３は、分離部１３２から入力した映像データ列を復号して映像情報を出力する。音声復号部１３４は、分離部１３２から入力した音声データ列を復号して音声情報を出力する。字幕復号部１３５は、分離部１３２から入力した字幕データ列を復号して字幕情報を出力する。【００３５】
データ放送受信処理部１４１は、分離部１３２から入力したＢＭＬデータ列を復号してＢＭＬ文書を再生する。データ放送エンジン１４２は、ＢＭＬ文書を実行するＢＭＬブラウザであり、データ放送受信処理部１４１で再生されたＢＭＬ文書を実行してデータ放送画面情報を出力する。アプリケーション制御部１４３は、分離部１３２から入力したＡＩＴデータ列或いはインターネット２００上の各サーバ装置から取得したＡＩＴファイルに基づいて、放送通信連携システム用に制作されたアプリケーションに関してアプリケーションエンジン１４４に働きかけ、アプリケーション単位のライフサイクル及びイベントの制御、管理を行う。また、アプリケーションの状態とＡＩＴの指示に依存して、適宜アプリケーションの機能制約の制御を行う。アプリケーションエンジン１４４は、アプリケーション制御部１４３の制御に基づいて、前記放送通信連携システム用に制作されたアプリケーションを取得して実行するＨＴＭＬブラウザである。【００３６】
コンテンツ処理部１５１は、主制御部１０１の制御に基づいて、ＬＡＮ通信部１２１を介してインターネット２００上の各サーバ装置に置かれた映像コンテンツ等にアクセスし、前記映像コンテンツ等のプログラムストリーム（Ｐｒｏｇｒａｍ  Ｓｔｒｅａｍ：ＰＳ）を取得する。前記取得したＰＳは、更に、分離部１３２に供給され、チューナ／復調部１３１から出力されたＴＳと同様の処理を施されて良い。また、コンテンツ処理部１５１は、主制御部１０１の制御に基づいて、前記取得したＰＳに対するＤＲＭ（Ｄｉｇｉｔａｌ  Ｒｉｇｈｔｓ  Ｍａｎａｇｅｍｅｎｔ）処理の制御等を行っても良い。また、コンテンツ処理部１５１は、トランスコード処理機能を備えるものとする。即ち、ＬＡＮ通信部１２１を介してインターネット２００上の各サーバ装置から取得したＰＳに対して、トランスコード処理を施した後に分離部１３２に供給することが可能である。或いは、分離部１３２から出力されたＴＳやＥＳに対して、トランスコード処理を施してストレージ部１１０に記憶することが可能である。【００３７】
映像重畳部１６１は、映像復号部１３３から出力された映像情報、字幕復号部１３５から出力された字幕情報、データ放送エンジン１４２から出力されたデータ放送画面情報、アプリケーションエンジン１４４から出力されたアプリケーション実行画面情報を入力して、選択及び／または重畳等の処理を行う。映像重畳部１６１は図示を省略したビデオＲＡＭを備え、前記ビデオＲＡＭに入力された映像情報に基づいて映像表示部１６３等が駆動される。また、映像重畳部１６１は、主制御部１０１の制御に基づいて、必要に応じて、スケーリング処理や分離部１３２から出力された番組情報データ列を解釈して作成されたＥＰＧ画面情報の重畳処理等を行う。音声選択部１６２は、音声復号部１３４から出力された音声情報、アプリケーションエンジン１４４から出力されたアプリケーション実行音声情報を入力して、主制御部１０１の制御に基づいて適宜選択処理を行う。映像表示部１６３は、例えば液晶パネル等の表示デバイスであり、映像重畳部１６１で選択及び／または重畳処理を施された映像情報を放送受信装置１００のユーザに提供する。スピーカ１６４は、音声選択部１６２から出力された音声情報を放送受信装置１００のユーザに提供する。【００３８】
拡張インタフェース部１２４は、放送受信装置１００の機能を拡張するためのインタフェース群であり、本実施例では、映像／音声インタフェース、ＵＳＢ（Ｕｎｉｖｅｒｓａｌ  Ｓｅｒｉａｌ  Ｂｕｓ）インタフェース、メモリインタフェース等で構成されるものとする。映像／音声インタフェースは、外部映像／音声出力機器からの映像データ／音声データの入力、外部映像／音声入力機器への映像データ／音声データの出力、等を行う。ＵＳＢインタフェースは、ＰＣ等と接続して各種データの送受信を行う。ＨＤＤを接続することによりストレージ部１１０に代替して放送番組や各種コンテンツの記録を行っても良い。また、キーボードやその他のＵＳＢ機器の接続を行っても良い。メモリインタフェースはメモリカードやその他のメモリ媒体を接続してデータの送受信を行う。【００３９】
放送受信装置１００は、テレビ受信機の他、ＤＶＤ（Ｄｉｇｉｔａｌ  Ｖｅｒｓａｔｉｌｅ  Ｄｉｓｃ）レコーダなどの光ディスクドライブレコーダ、ＨＤＤレコーダなどの磁気ディスクドライブレコーダ、ＳＴＢ（Ｓｅｔ  Ｔｏｐ  Ｂｏｘ）等であっても良い。デジタル放送受信機能及び放送通信連携機能を備えたＰＣ（Ｐｅｒｓｏｎａｌ  Ｃｏｍｐｕｔｅｒ）やタブレット端末、ゲーム機等であっても良い。なお、放送通信連携機能は備えなくとも良い。放送受信装置１００がＤＶＤレコーダ、ＨＤＤレコーダ、ＳＴＢ等である場合、映像表示部１６３及びスピーカ１６４に代替して映像出力部及び音声出力部を備えれば良い。前記映像出力部及び音声出力部に外部モニタ及び外部スピーカを接続することにより、本実施例の放送受信装置１００と同様の動作が可能となる。【００４０】
［放送受信装置のソフトウェア構成］
図２Ｂは、本実施例の放送受信装置１００のソフトウェア構成図であり、ＲＯＭ１０３、ＲＡＭ１０４及びストレージ部１１０におけるソフトウェアの構成を示す。本実施例においては、ＲＯＭ１０３に基本動作プログラム１００１及びその他の動作プログラムが記憶されており、ストレージ部１１０に受信機能プログラム１００２、予約管理プログラム１００３、番組録画プログラム１００４及びその他の動作プログラムが記憶されている。また、ストレージ部１１０は、放送番組の録画予約及び視聴予約に関する情報等を記憶する予約情報記憶領域１２００、録画済み番組に関する情報等を記憶する録画コンテンツ記憶領域１３００、その他の各種情報を記憶する各種情報記憶領域を備えるものとする。【００４１】
ＲＯＭ１０３に記憶された基本動作プログラム１００１はＲＡＭ１０４に展開され、更に主制御部１０１が前記展開された基本動作プログラムを実行することにより、基本動作実行部１１０１を構成する。また、ストレージ部１１０に記憶された受信機能プログラム１００２、予約管理プログラム１００３、番組録画プログラム１００４はそれぞれＲＡＭ１０４に展開され、更に主制御部１０１が前記展開された各動作プログラムを実行することにより、受信機能実行部１１０２、予約管理実行部１１０３、番組録画実行部１１０４を構成する。また、ＲＡＭ１０４は、各動作プログラム実行時に作成したデータを、必要に応じて一時的に保持する一時記憶領域を備えるものとする。【００４２】
なお、以下では、説明を簡単にするために、主制御部１０１がＲＯＭ１０３に格納された基本動作プログラム１００１をＲＡＭ１０４に展開して実行することにより各動作ブロックの制御を行う処理を、基本動作実行部１１０１が各動作ブロックの制御を行うものとして記述する。他の動作プログラムに関しても同様の記述を行う。【００４３】
受信機能実行部１１０２は、放送受信機能や放送通信連携機能等を実現するために放送受信装置１００の各動作ブロックを制御する。特に、放送番組再生部１１０２ａは、チューナ／復調部１３１、分離部１３２、映像復号部１３３、音声復号部１３４、字幕復号部１３５、データ放送受信処理部１４１及びデータ放送エンジン１４２を主として制御する。放送通信連携部１１０２ｂは、アプリケーション制御部１４３及びアプリケーションエンジン１４４を主として制御する。端末連携管理部１１０２ｃは放送通信連携処理の際の携帯情報端末との連携を制御する。【００４４】
予約管理実行部１１０３は、放送番組の録画予約及び視聴予約の処理に関する情報等を、予約情報記憶領域１２００に記憶した予約情報テーブルを用いて管理する。番組録画実行部１１０４は、予約情報記憶領域１２００に記憶した予約情報テーブルに基づいた予約録画の動作及び放送番組を視聴しながらのマニュアル録画の動作を制御する。また、録画済み番組に関する情報等を、録画コンテンツ記憶領域１３００に記憶した録画番組情報テーブルを用いて管理する。【００４５】
前記各動作プログラムは、製品出荷の時点で、予めＲＯＭ１０３及び／またはストレージ部１１０に格納された状態であっても良い。製品出荷後に、インターネット２００上のその他のアプリケーションサーバ５００等からＬＡＮ通信部１２１を介して取得するものであっても良い。また、メモリカードや光ディスク等に格納された前記各動作プログラムを、拡張インタフェース部１２４等を介して取得するものであっても良い。【００４６】
図２Ｃは、予約情報記憶領域１２００に記憶される予約情報テーブルのデータ形式の一例を説明する概念図である。予約情報テーブルは、整理番号１２０１、放送日情報１２０２、放送時刻情報１２０３、放送チャンネル情報１２０４、放送番組タイトル情報１２０５、繰返しフラグ１２０６、録画／視聴モード１２０７、録画先情報１２０８、等の情報で構成される。その他の情報を更に備えても良い。【００４７】
整理番号１２０１は、予約情報テーブルに記憶された各予約情報の管理に用いられる。放送日情報１２０２と放送時刻情報１２０３と放送チャンネル情報１２０４と放送番組タイトル情報１２０５は、予約対象の放送番組の放送される日時とチャンネルと番組タイトルに関する情報である。繰返しフラグ１２０６は、予約対象の放送番組の録画処理若しくは視聴処理を毎週或いは毎日繰り返して行うか否かを示すフラグである。録画／視聴モード１２０７は、各予約情報に基づいて行う処理が予約録画の処理か予約視聴の処理か、また、予約録画の処理を行う場合には何れの録画モードにて予約録画の処理を行うかのモード設定情報である。録画先情報１２０８は、予約録画の処理を行う場合に、録画対象の放送番組に関する情報を何れのストレージ（例えば、ストレージ部１１０や拡張Ｉ／Ｆに接続したＵＳＢ  ＨＤＤ）に記録するかの情報である。【００４８】
図２Ｄは、録画コンテンツ記憶領域１３００に記憶される録画番組情報テーブルのデータ形式の一例を説明する概念図である。録画番組情報テーブルは、整理番号１３０１、録画日情報１３０２、録画時刻情報１３０３、録画チャンネル情報１３０４、録画番組タイトル情報１３０５、録画モード１３０６、録画番組識別情報１３０７、録画番組コンテンツ格納先情報１３０８、レジューム情報１３０９、で構成される。その他の情報を更に備えても良い。【００４９】
整理番号１３０１は、録画番組情報テーブルに記憶された各録画番組情報の管理に用いられる。録画日情報１３０２と録画時刻情報１３０３は、本実施例においては、録画済み番組の録画処理を実行した日時に関する情報である。録画チャンネル情報１３０４と録画番組タイトル情報１３０５は、録画済み番組の放送チャンネルと番組タイトルに関する情報である。録画モード１３０６は、各録画済み番組の録画処理を何れの録画モードで行ったかを示すモード設定情報である。録画番組識別情報１３０７は、録画済み番組に関するコンテンツをネットワーク上のコンテンツサーバで識別するための一意の識別番号である。録画番組コンテンツ格納先情報１３０８は、録画済み番組に関するコンテンツの格納先を示す情報である。録画番組コンテンツ格納先情報１３０８は、録画済み番組に関するコンテンツが格納されるコンテンツサーバをネットワーク上で識別するための、例えばＩＰ（Ｉｎｔｅｒｎｅｔ  Ｐｒｏｔｏｃｏｌ）アドレスのような識別情報であって良い。前記コンテンツサーバ内において録画済み番組に関するコンテンツの格納された位置を規定するためのディレクトリ情報とファイル名称が追加されても良い。録画済み番組に関するコンテンツが放送受信装置１００のストレージに記憶された場合には、前記ストレージを識別可能な識別情報であって良い。レジューム情報１３０９は、録画済み番組に関するコンテンツの再生処理を一時停止した場合の停止位置に関する情報である。【００５０】
［放送局サーバの構成］
図３は、放送局サーバ３００の内部構成の一例を示すブロック図である。放送局サーバ３００は、主制御部３０１、システムバス３０２、ＲＡＭ３０４、ストレージ部３１０、ＬＡＮ通信部３２１、デジタル放送信号送出部３６０、で構成される。【００５１】
主制御部３０１は、所定の動作プログラムに従って放送局サーバ３００全体を制御するマイクロプロセッサユニットである。システムバス３０２は主制御部３０１と放送局サーバ３００内の各動作ブロックとの間でデータ送受信を行うためのデータ通信路である。ＲＡＭ３０４は各動作プログラム実行時のワークエリアとなる。【００５２】
ストレージ部３１０は、基本動作プログラム３００１及び放送コンテンツ管理／配信プログラム３００２と放送コンテンツ送出プログラム３００３を記憶し、更に、放送コンテンツ記憶領域３２００及びメタデータ記憶領域３３００を備える。放送コンテンツ記憶領域３２００は放送局が放送する各放送番組の番組コンテンツ等を記憶する。メタデータ記憶領域３３００は前記各放送番組の番組タイトル、番組ＩＤ、番組概要、出演者、放送日時、等のメタデータを記憶する。【００５３】
また、ストレージ部３１０に記憶された基本動作プログラム３００１及び放送コンテンツ管理／配信プログラム３００２と放送コンテンツ送出プログラム３００３はそれぞれＲＡＭ３０４に展開され、更に主制御部３０１が前記展開された各プログラムを実行することにより、基本動作実行部３１０１、放送コンテンツ管理／配信実行部３１０２、放送コンテンツ送出実行部３１０３を構成する。【００５４】
なお、以下では、説明を簡単にするために、主制御部３０１がストレージ部３１０に格納された基本動作プログラム３００１をＲＡＭ３０４に展開して実行することにより各動作ブロックの制御を行う処理を、基本動作実行部３１０１が各動作ブロックの制御を行うものとして記述する。他の動作プログラムに関しても同様の記述を行う。【００５５】
放送コンテンツ管理／配信実行部３１０２は、放送コンテンツ記憶領域３２００及びメタデータ記憶領域３３００に蓄積された各放送番組の番組コンテンツ等及び各メタデータの管理と、前記各放送番組の番組コンテンツ等及び各メタデータを契約に基づいてサービス事業者に提供する際の制御を行う。更に、放送コンテンツ管理／配信実行部３１０２は、前記サービス事業者に対して前記各放送番組の番組コンテンツ等及び各メタデータの提供を行う際に、必要に応じて前記契約に基づいたサービス事業者サーバ４００の認証処理等を行っても良い。【００５６】
放送コンテンツ送出実行部３１０３は、放送コンテンツ記憶領域３２００に蓄積された放送番組の番組コンテンツ等を、デジタル放送信号送出部３６０を介して電波塔３００Ｔから送出する際のタイムスケジュール管理等を行う。【００５７】
ＬＡＮ通信部３２１は、インターネット２００と接続され、インターネット２００上のサービス事業者サーバ４００等と通信を行う。ＬＡＮ通信部３２１は符号回路や復号回路等を備えるものとする。デジタル放送信号送出部３６０は、放送コンテンツ記憶領域３２００に蓄積された各放送番組の番組コンテンツ等に関する映像データ列や音声データ列、番組情報データ列、ＡＩＴデータ列、等で構成されたＴＳを変調して、電波塔３００Ｔを介して、デジタル放送波として送信する。【００５８】
［サービス事業者サーバの構成］
図４Ａは、サービス事業者サーバ４００の内部構成の一例を示すブロック図である。サービス事業者サーバ４００は、主制御部４０１、システムバス４０２、ＲＡＭ４０４、ストレージ部４１０、ＬＡＮ通信部４２１、で構成される。【００５９】
主制御部４０１は、所定の動作プログラムに従ってサービス事業者サーバ４００全体を制御するマイクロプロセッサユニットである。システムバス４０２は主制御部４０１とサービス事業者サーバ４００内の各動作ブロックとの間でデータ送受信を行うためのデータ通信路である。ＲＡＭ４０４は各動作プログラム実行時のワークエリアとなる。【００６０】
ストレージ部４１０は、基本動作プログラム４００１及び映像コンテンツ管理／配信プログラム４００２とアプリケーション管理／配布プログラム４００４を記憶し、更に、メタデータ記憶領域４２００及び映像コンテンツ記憶領域４３００、アプリケーション記憶領域４４００を備える。メタデータ記憶領域４２００は、放送局サーバ３００から提供された各メタデータや、サービス事業者が制作した映像コンテンツに関するメタデータ等を記憶する。映像コンテンツ記憶領域４３００は、放送局サーバ３００から提供された放送番組の番組コンテンツを映像コンテンツとして記憶する。また、前記サービス事業者が制作した映像コンテンツ等を記憶する。アプリケーション記憶領域４４００は、各テレビ受信機からの要求に応じて配布するための、放送通信連携システムの各サービスの実現に必要となるアプリケーションを記憶する。【００６１】
また、ストレージ部４１０に記憶された基本動作プログラム４００１及び映像コンテンツ管理／配信プログラム４００２とアプリケーション管理／配布プログラム４００４はそれぞれＲＡＭ４０４に展開され、更に主制御部４０１が前記展開された基本動作プログラム及び映像コンテンツ管理／配信プログラムとアプリケーション管理／配布プログラムを実行することにより、基本動作実行部４１０１、映像コンテンツ管理／配信実行部４１０２、アプリケーション管理／配布実行部４１０４を構成する。【００６２】
なお、以下では、説明を簡単にするために、主制御部４０１がストレージ部４１０に格納された基本動作プログラム４００１をＲＡＭ４０４に展開して実行することにより各動作ブロックの制御を行う処理を、基本動作実行部４１０１が各動作ブロックの制御を行うものとして記述する。他の動作プログラムに関しても同様の記述を行う。【００６３】
映像コンテンツ管理／配信実行部４１０２は、放送局サーバ３００からの放送番組の番組コンテンツ等及びメタデータの取得、映像コンテンツ記憶領域４３００及びメタデータ記憶領域４２００に蓄積された映像コンテンツ等及び各メタデータの管理、及び各テレビ受信機に対する前記映像コンテンツ等及び各メタデータの配信の制御を行う。また、アプリケーション管理／配布実行部４１０４は、アプリケーション記憶領域４４００に蓄積された各アプリケーションの管理と、前記各アプリケーションを各テレビ受信機からの要求に応じて配布する際の制御と、を行う。更に、アプリケーション管理／配布実行部４１０４は、前記各テレビ受信機に対して前記各アプリケーションの配布を行う際に、必要に応じて前記各テレビ受信機の認証処理等を行っても良い。【００６４】
ＬＡＮ通信部４２１は、インターネット２００と接続され、インターネット２００上の放送局サーバ３００や、ルータ装置２００Ｒを介して、放送受信装置１００と通信を行う。ＬＡＮ通信部４２１は符号回路や復号回路等を備えるものとする。【００６５】
図４Ｂは、メタデータ記憶領域４２００に記憶されるコンテンツ情報テーブルのデータ形式の一例を説明する概念図である。コンテンツ情報テーブルは、番組識別情報４２０１、コンテンツ格納位置情報４２０２、コンテンツ名称４２０３、コンテンツタイトル情報４２０４、コンテンツジャンル情報４２０５、コンテンツ放送日情報４２０６、コンテンツ放送時刻情報４２０７、コンテンツ概要情報４２０８、等の情報で構成される。その他の情報を更に備えても良い。【００６６】
番組識別情報４２０１は、サービス事業者サーバ４００上において各映像コンテンツを識別するための一意の識別番号である。コンテンツ格納位置情報４２０２は、映像コンテンツ記憶領域４３００における各映像コンテンツの格納位置を規定するディレクトリ情報である。コンテンツ格納位置情報４２０２が『ＮＵＬＬ』である場合は、対応する映像コンテンツが映像コンテンツ記憶領域４３００に記憶されていないか、或いは、映像コンテンツ記憶領域４３００に記憶されていても配信対象となっていないことを示すものとする。コンテンツ名称４２０３は、各映像コンテンツのファイル名である。コンテンツタイトル情報４２０４とコンテンツジャンル情報４２０５とコンテンツ放送日情報４２０６とコンテンツ放送時刻情報４２０７とコンテンツ概要情報４２０８は、各映像コンテンツのタイトルとジャンルと放送日時と番組概要に関する情報である。【００６７】
以下では、本実施例の放送受信装置１００の動作に関して説明する。【００６８】
［録画予約時の動作シーケンス］
先ず、本実施例の放送受信装置１００における、ＥＰＧを用いた放送番組の録画予約処理の動作に関して説明する。図５は、本実施例の放送受信装置１００の録画予約処理の動作の一例を説明する動作シーケンス図である。【００６９】
本実施例の放送受信装置１００で録画予約処理を行う場合、ユーザは先ず、図示を省略したリモコンを操作して、放送受信装置１００に対して電源オンの指示を行う（Ｓ５０１）。前記リモコンからの電源オンの指示を受信した放送受信装置１００は、基本動作実行部１１０１の制御により、起動処理及び初期化処理を行う（Ｓ５０２）。なお、放送受信装置１００が既に起動している場合、Ｓ５０１〜Ｓ５０２の処理は不要である。前記起動処理及び初期化処理を終えると、次に、受信機能実行部１１０２の放送番組再生部１１０２ａが、デジタル放送波を受信してチューナ／復調部１３１で所定のチャンネルへ同調（選局）する処理や変調された信号を復調する処理等を行う（Ｓ５０３）。更に、分離部１３２における各データ列の分離処理、映像復号部１３３や音声復号部１３４における映像データ列や音声データ列の復号処理、等を行い、映像重畳部１６１及び音声選択部１６２を介して、映像表示部１６３及びスピーカ１６４から放送番組の映像信号及び音声信号を出力する（Ｓ５０４）。【００７０】
また、放送番組再生部１１０２ａは、分離部１３２で分離された番組情報データ列を取得する（Ｓ５０５）。ユーザが前記リモコンを操作してＥＰＧ表示の指示を行う（Ｓ５０６）と、放送番組再生部１１０２ａは、前記取得した番組情報データ列を解釈してＥＰＧ情報を作成し、更に、ＥＰＧ表示画面を映像表示部１６３に表示する（Ｓ５０７）。【００７１】
図６は、Ｓ５０７の処理で表示されるＥＰＧ表示画面の一例を説明する画面表示図である。ＥＰＧ表示画面１６３ａは、デジタル放送サービスにおける放送番組の放送予定表であり、本実施例においては、縦軸を時間表示、横軸をサービスＩＤ（チャンネル）表示としたマトリクス形状で、各時間帯に各チャンネルで放送される各放送番組の番組情報１６３ａ１を表示する。ＥＰＧ表示画面１６３ａの下部には操作ガイド１６３ａ２が表示される。図示を省略したリモコンのカーソルキーを操作することにより、番組選択カーソル１６３ａ３を移動させることが可能である。更に、前記リモコンの決定キーを押下することにより、番組選択カーソル１６３ａ３で選択された放送番組の詳細情報を表示させることが可能である。【００７２】
図５のＳ５０７の処理で表示されたＥＰＧ表示画面１６３ａにおいて、ユーザが前記リモコンのカーソルキー及び決定キーを操作して所定の放送番組の選択を行う（Ｓ５０８）と、予約管理実行部１１０３が、受信機能実行部１１０２の制御に基づいて、前記選択された所定の放送番組に関する番組詳細情報表示画面を映像表示部１６３に表示する（Ｓ５０９）。【００７３】
図７は、Ｓ５０９の処理で表示される番組詳細情報表示画面の一例を説明する画面表示図である。番組詳細情報表示画面１６３ｂは、前記選択された所定の放送番組の番組タイトルや番組概要や出演者等の情報を表示する番組情報表示領域１６３ｂ１と、現在視聴中の放送番組の映像を表示するサブウィンドウ領域１６３ｂ２と、録画予約の処理や視聴予約の処理に関する各種設定が可能な予約設定キー１６３ｂ３と、前記選択された所定の放送番組に対して録画予約の処理を行うか或いは視聴予約の処理を行うか等の選択が可能な操作選択キー１６３ｂ４と、で構成される。【００７４】
図示を省略したリモコンのカーソルキー及び決定キーを操作して予約設定キー１６３ｂ３の『録画先』キーを選択すると、録画対象の放送番組に関する情報を記憶させるためのストレージを選択できる。『番組保存』キーを選択すると、録画対象の放送番組に関するコンテンツを放送受信装置１００のストレージに保存するか否かを設定できる。『録画モード』キーを選択すると、録画対象の放送番組を何れの録画モードにて録画するかを設定できる。『毎週／毎日』キーを選択すると、対象となる放送番組の予約録画或いは予約視聴の処理を毎週繰り返すか或いは毎日繰り返すか等を設定できる。また、前記リモコンのカーソルキー及び決定キーを操作して操作選択キー１６３ｂ４の何れかのキーを選択することにより、前記選択された所定の放送番組に対する録画処理の予約或いは視聴処理の予約を実行することが可能である。【００７５】
図５のＳ５０９の処理で表示された番組詳細情報表示画面１６３ｂにおいて、ユーザが前記リモコンのカーソルキー及び決定キーを操作して操作選択キー１６３ｂ４の『録画予約』キーを選択する（Ｓ５１０）と、予約管理実行部１１０３が、番組詳細情報表示画面１６３ｂで設定した各項目の設定内容の情報等を予約情報記憶領域１２００の予約情報テーブルに記憶する（Ｓ５１１）。具体的には、例えば、予約設定キー１６３ｂ３の『録画先』キー及び『番組保存』キーの設定内容に応じた設定情報が予約情報テーブルの録画先情報１２０８に記憶される。『録画モード』キーで設定した内容は録画／視聴モード１２０７に記憶される。『毎週／毎日』キーで設定した内容は繰返しフラグ１２０６に記憶される。【００７６】
Ｓ５１１の処理を終えると、番組詳細情報表示画面１６３ｂの表示を終了し、放送番組再生部１１０２ａが視聴中の放送番組の映像を映像表示部１６３に表示する（Ｓ５１２）。以上の動作を以って、放送受信装置１００の録画予約処理を終了する。【００７７】
［予約録画時の動作シーケンス］
次に、本実施例の放送受信装置１００における、予約情報記憶領域１２００に記憶した予約情報テーブルに基づいた予約録画処理の動作に関して説明する。図８は、本実施例の放送受信装置１００の予約録画処理の動作の一例を説明する動作シーケンス図である。【００７８】
放送受信装置１００の動作中或いは待機中、番組録画実行部１１０４は、基本動作実行部１１０１の制御に基づいて、図示を省略した内蔵クロックの時刻情報及び予約情報記憶領域１２００の予約情報テーブルを適宜確認する（Ｓ８０１）。予約情報テーブルに記憶された予約録画の対象となる放送番組の放送開始日時が近付くと、基本動作実行部１１０１は、放送受信装置１００の起動処理及び初期化処理を行う（Ｓ８０２）。なお、放送受信装置１００が既に動作中の場合、Ｓ８０２の処理は不要である。前記起動処理及び初期化処理を終えると、次に、受信機能実行部１１０２の放送番組再生部１１０２ａが、デジタル放送波を受信し（Ｓ８０３）、更に、チューナ／復調部１３１で前記予約録画の対象となる放送番組のチャンネルへ同調（選局）する処理や変調された信号を復調する処理等を行う（Ｓ８０４）。なお、Ｓ８０４の処理は、放送受信装置１００が既に動作中で予約録画の対象ではない任意の放送番組を選局中の場合、空きチューナを適宜選択して行われるものであって良い。また、前記予約録画の対象となる放送番組の映像は映像表示部１６３に表示されなくとも良い。【００７９】
前記予約録画の対象となる放送番組のチャンネルへの同調処理を終えると、番組録画実行部１１０４が、受信機能実行部１１０２の制御に基づいて、デジタル放送波に重畳されている前記予約録画の対象となる放送番組に関する番組識別情報と番組コンテンツ格納先情報の番組関連情報を取得する（Ｓ８０６）。なお、前記番組識別情報と番組コンテンツ格納先情報は、ＰＳＩやＳＩに含まれるものであって良い。放送通信連携機能に用いられるＡＩＴに含まれるものであっても良い。データ放送に用いられるＢＭＬデータ列に含まれるものであっても良い。その他の方法で、放送番組の番組コンテンツと共にデジタル放送波に含まれて送信されるものであっても良い。或いは、放送通信連携機能のＡＩＴにより指定された所定のサーバ装置にアクセスして取得するものであっても良い。【００８０】
Ｓ８０６の処理で取得した前記予約録画の対象となる放送番組に関する番組識別情報と番組コンテンツ格納先情報の番組関連情報は、Ｓ８０１の処理で参照した予約情報記憶領域１２００の予約情報テーブルに記載されている情報等と共に、番組録画実行部１１０４の制御により、録画コンテンツ記憶領域１３００の録画番組情報テーブルに記憶される（Ｓ８０７）。具体的には、例えば、前記取得した番組識別情報は録画番組情報テーブルの録画番組識別情報１３０７に記憶される。前記取得した番組コンテンツ格納先情報は録画番組コンテンツ格納先情報１３０８に記憶される。また、予約情報記憶領域１２００の予約情報テーブルの放送日情報１２０２と放送時刻情報１２０３と放送チャンネル情報１２０４と放送番組タイトル情報１２０５と録画／視聴モード１２０７が、録画番組情報テーブルの録画日情報１３０２と録画時刻情報１３０３と録画チャンネル情報１３０４と録画番組タイトル情報１３０５と録画モード１３０６に記憶される。【００８１】
Ｓ８０７の処理を終えると、予約管理実行部１１０３は、予約情報記憶領域１２００の予約情報テーブルに記憶された予約情報を削除する（Ｓ８０８）。以上の動作を以って、放送受信装置１００の予約録画処理を終了する。【００８２】
なお、前述の一連の処理は、番組詳細情報表示画面１６３ｂの予約設定キー１６３ｂ３で『番組保存』キーを『しない』に設定した場合の処理の例であり、即ち、予約録画の対象となる放送番組に関する番組コンテンツを放送受信装置１００のストレージに記憶させない場合の例である。前記『番組保存』キーを『する』に設定した場合、本実施例の放送受信装置１００は、Ｓ８０７の処理において、分離部１３２から出力された番組コンテンツ（ＴＳ或いはＥＳ）をそのまま、或いは、前記番組コンテンツをコンテンツ処理部１５１で予約設定キー１６３ｂ３の『録画モード』キーの設定内容に応じたトランスコード処理を行った後に、予約設定キー１６３ｂ３の『録画先』キーで指定されるストレージ（例えば、ストレージ部１１０の録画コンテンツ記憶領域１３００や拡張Ｉ／Ｆ部１２４に接続されたＨＤＤ）に記憶するように処理して良い。【００８３】
また、予約録画の対象となる放送番組の番組コンテンツを放送受信装置１００のストレージに記憶させないようにするか否かは、前述のように、番組詳細情報表示画面１６３ｂの予約設定キー１６３ｂ３の『番組保存』キーの設定に応じて切り替えられるものであっても良いが、デジタル放送波に前記予約録画の対象となる放送番組に関する番組識別情報と番組コンテンツ格納先情報の番組関連情報が重畳されているか否かに応じて自動的に切り替えられるものであっても良い。即ち、例えば、デジタル放送波に前記予約録画の対象となる放送番組に関する番組識別情報と番組コンテンツ格納先情報の番組関連情報が重畳されている場合には、前記予約録画の対象となる放送番組に関する番組コンテンツを放送受信装置１００のストレージに記憶させないようにする。また、デジタル放送波に前記予約録画の対象となる放送番組に関する番組識別情報と番組コンテンツ格納先情報の番組関連情報が重畳されていない場合には、前記予約録画の対象となる放送番組に関する番組コンテンツを放送受信装置１００のストレージに記憶させるようにする。【００８４】
また、この場合、ＥＰＧ表示画面１６３ａの番組情報１６３ａ１において、各放送番組に関する番組識別情報と番組コンテンツ格納先情報の番組関連情報がデジタル放送波に重畳されているか否かを視認できるようにすると良い。例えば、番組識別情報と番組コンテンツ格納先情報の番組関連情報がデジタル放送波に重畳されている放送番組の番組情報１６３ａ１は、その旨を文字や記号やイラストの追加、背景色の差異、等により明示する。【００８５】
また、Ｓ８０３にて、放送番組再生部１１０２ａは、所定期間（例えば、番組開始の１分間）のみ、放送波を受信するようにしても良い。また、予約録画の対象となる放送番組に関する番組識別情報１３０７と、番組格納先情報１３０８とが、所定間隔（例えば、１５秒）ごとに送信されている場合には、Ｓ８０３にて放送番組再生部１１０２ａは、当該間隔（例えば、１５秒）だけ、デジタル放送を受信するようにしても良い。これによって、速やかにチューナを開放できるようになる。【００８６】
さらに、放送時刻１２０３が重なる複数の放送番組の予約情報が、予約情報テーブルに記憶されている場合、Ｓ８０３にて、各放送番組の放送波を巡回して受信するようにしても良い。【００８７】
また、予約情報記憶領域１２００に記憶した予約情報テーブルに基づいた予約録画の処理ではなく、放送番組の視聴中にマニュアル操作により録画処理を行う場合は、前記Ｓ８０１及びＳ８０８の処理は不要である。Ｓ８０４の処理で選局した放送番組の視聴中に、ユーザが図示を省略したリモコンを操作してマニュアル録画の指示を行い（Ｓ８０５）、以下、Ｓ８０６〜Ｓ８０７の処理が実行されるものであって良い。【００８８】
［録画番組再生時の動作シーケンス］
次に、本実施例の放送受信装置１００における、録画コンテンツ記憶領域１３００に記憶した録画番組情報テーブルに基づいた録画済み番組の再生処理の動作に関して説明する。図９は、本実施例の放送受信装置１００の録画番組再生処理の動作の一例を説明する動作シーケンス図である。【００８９】
本実施例の放送受信装置１００で録画番組再生処理を行う場合、ユーザは先ず、図示を省略したリモコンを操作して、放送受信装置１００に対して電源オンの指示を行う（Ｓ９０１）。前記リモコンからの電源オンの指示を受信した放送受信装置１００は、基本動作実行部１１０１の制御により、起動処理及び初期化処理を行う（Ｓ９０２）。なお、放送受信装置１００が既に起動している場合、Ｓ９０１〜Ｓ９０２の処理は不要である。前記起動処理及び初期化処理の後、ユーザが前記リモコンを操作して録画番組一覧表示の指示を行う（Ｓ９０３）と、受信機能実行部１１０２が、録画番組一覧表示画面を映像表示部１６３に表示する（Ｓ９０４）。【００９０】
図１０は、Ｓ９０４の処理で表示される録画番組一覧表示画面の一例を説明する画面表示図である。録画番組一覧表示画面１６３ｃは、録画コンテンツ記憶領域１３００の録画番組情報テーブルに記憶された各録画番組の録画番組情報１６３ｃ１の一覧と操作ガイド１６３ｃ６を表示する。録画番組情報１６３ｃ１は、主としてサムネイル部１６３ｃ２と、録画番組タイトル、録画日時、録画チャンネル、録画モード、録画時間、等の情報を表示する番組概要部１６３ｃ３とで構成される。更に、録画番組情報１６３ｃ１は、各録画番組が未視聴であるか否かを示す未視聴マーク１６３ｃ４及び各録画番組に関する番組コンテンツが放送受信装置１００のストレージに記憶されているか否かを示すクラウドマーク１６３ｃ５を適宜有するものとする。なお、クラウドマーク１６３ｃ５は、各録画番組に関する番組コンテンツが放送受信装置１００のストレージに記憶されていない場合に表示されるものであり、即ち、番組詳細情報表示画面１６３ｂの予約設定キー１６３ｂ３で『番組保存』キーを『しない』に設定して予約録画の処理を行った場合に表示される。【００９１】
図示を省略したリモコンのカーソルキーを操作することにより、番組選択カーソル１６３ｃ７を移動させることが可能である。更に、前記リモコンの決定キーを押下することにより、番組選択カーソル１６３ｃ７で選択された録画番組の再生処理を開始することが可能である。【００９２】
図９のＳ９０４の処理で表示された録画番組一覧表示画面１６３ｃにおいて、ユーザが前記リモコンのカーソルキー及び決定キーを操作して所定の録画番組の選択を行う（Ｓ９０５）と、受信機能実行部１１０２は、録画コンテンツ記憶領域１３００に記憶されている録画番組情報テーブルから前記所定の録画番組の録画番組識別情報１３０７と録画番組コンテンツ格納先情報１３０８と録画モード１３０６とを読み出す（Ｓ９０６）。【００９３】
受信機能実行部１１０２は、Ｓ９０６の処理で読み出した録画番組コンテンツ格納先情報１３０８を解釈し、前記所定の録画番組に関する映像コンテンツが格納されたコンテンツサーバ（本実施例では、サービス事業者サーバ４００）をネットワーク上で識別するための情報（例えば、ＩＰアドレス情報等）を抽出する。更に、受信機能実行部１１０２は、前記抽出したＩＰアドレス情報で識別されるサービス事業者サーバ４００に対して、ＬＡＮ通信部１２１を介して、前記所定の録画番組に関する録画番組識別情報１３０７と録画番組コンテンツ格納先情報１３０８と録画モード１３０６とを送信して、前記所定の録画番組に関する映像コンテンツの送信を要求する（Ｓ９０７）。なお、録画番組コンテンツ格納先情報１３０８がＩＰアドレス情報のみを有している場合は、Ｓ９０７の処理において、録画番組コンテンツ格納先情報１３０８を送信する必要はない。【００９４】
サービス事業者サーバ４００の基本動作実行部４１０１は、ＬＡＮ通信部４２１を介して受信した前記所定の録画番組に関する録画番組識別情報１３０７と録画コンテンツ格納先情報１３０８と録画モード１３０６とを映像コンテンツ管理／配信実行部４１０２に送信する。映像コンテンツ管理／配信実行部４１０２は、前記受信した録画番組識別情報１３０７に基づいてメタデータ記憶領域４２００に記憶されたコンテンツ情報テーブルを参照する。更に、前記受信した録画番組識別情報１３０７と一致する番組識別情報４２０１に対応するコンテンツ格納位置情報４２０２及びコンテンツ名称４２０３を取得することにより、前記所定の録画番組に関する映像コンテンツの選択を行う（Ｓ９０８）。前記コンテンツ格納位置情報４２０２及びコンテンツ名称４２０３の取得に代替して、前記受信した録画コンテンツ格納先情報１３０８を解釈して取得したディレクトリ情報とファイル名称を用いても良い。【００９５】
次に、映像コンテンツ管理／配信実行部４１０２は、Ｓ９０８の処理で取得した前記コンテンツ格納位置情報４２０２及びコンテンツ名称４２０３に基づいて映像コンテンツ記憶領域４３００を参照し、前記所定の録画番組に関する映像コンテンツを読み出す。更に、映像コンテンツ管理／配信実行部４１０２は、前記読み出した映像コンテンツに対して、前記受信した録画モード１３０６に応じたトランスコード処理を行い（Ｓ９０９）、ＬＡＮ通信部４２１を介して放送受信装置１００に送信する（Ｓ９１０）。なお、Ｓ９０９でのトランスコード処理に代替して、映像コンテンツ記憶領域４３００にビットレートの異なる複数の映像コンテンツを予め用意しておき、前記受信した録画モード１３０６に応じて所定のビットレートの映像コンテンツを選択するようにしても良い。また、サービス事業者サーバ４００と放送受信装置１００との間の通信帯域に充分な余裕がある場合、Ｓ９０９におけるトランスコード処理は行わなくとも良い。サービス事業者サーバ４００と放送受信装置１００との間のネットワーク状況に応じて前記トランスコード処理の有無を切り替えても良い。【００９６】
サービス事業者サーバ４００から送信された前記所定の録画番組に関する映像コンテンツを受信した放送受信装置１００は、受信機能実行部１１０２の制御に基づいて、ＬＡＮ通信部１２１を介して受信した前記映像コンテンツを分離部１３２に送信する。更に、放送番組再生部１１０２ａの制御に基づいて、分離部１３２における各データ列の分離処理、映像復号部１３３や音声復号部１３４における映像データ列や音声データ列の復号処理、等を行い、映像重畳部１６１及び音声選択部１６２を介して、映像表示部１６３及びスピーカ１６４から放送番組の映像信号及び音声信号を出力する（Ｓ９１１）。以上の動作を以って、放送受信装置１００の録画番組再生処理を実現する。【００９７】
以上、前述にて録画予約処理の動作と予約録画処理の動作と録画番組再生処理の動作の各動作を説明したように、本実施例の放送受信装置１００においては、放送番組の録画を行う際に、放送番組に関する番組コンテンツを放送受信装置１００のストレージに個別に記憶させる必要が無く、録画した放送番組に関するコンテンツは再生時にネットワーク上のコンテンツサーバから都度取得するように動作する。但し、コンテンツサーバに自らアクセスして所望のコンテンツを検索／選択する公知のＶＯＤ（Ｖｉｄｅｏ  Ｏｎ  Ｄｅｍａｎｄ）のシステムと異なり、本実施例の放送受信装置１００では、ユーザは、コンテンツサーバの存在を意識する必要がなく、放送番組の録画処理及び再生処理に関して従来のＶＴＲ（Ｖｉｄｅｏ  Ｔａｐｅ  Ｒｅｃｏｒｄｅｒ）と同様の使い勝手を実現することができる。更に、本実施例の放送受信装置１００では、録画番組の情報を管理する録画番組情報テーブルは大きな記憶領域を必要とせず、したがって、多数の録画番組を管理／格納することが可能である。或いは、小容量のストレージにて管理することが可能である。即ち、より有用な録画処理や再生処理を可能とする放送受信装置を提供することが可能となる。
【実施例２】
【００９８】
以下では、本発明の実施例２に関して説明する。なお、本実施例における構成及び効果等は特に断りのない限り実施例１と同様であるものとする。このため、以下では、本実施例と実施例１との相違点を主に説明し、共通する点については重複を避けるため極力説明を省略する。【００９９】
本実施例のデジタル放送サービスにおいては、予約録画の対象となる放送番組に関する番組識別情報と番組コンテンツ格納先情報の番組関連情報が番組情報データ列に含まれるものとする。この場合、図７に示した番組詳細情報表示画面１６３ｂの予約設定キー１６３ｂ３で『番組保存』キーを『しない』に設定している場合、即ち、予約録画の対象となる放送番組に関する番組コンテンツを放送受信装置１００のストレージに個別に記憶させない場合には、デジタル放送波から番組情報データ列を取得した時点で、前記予約録画の対象となる放送番組の予約録画処理を行うことが可能となる。【０１００】
［録画予約及び予約録画時の動作シーケンス］
図１１は、本実施例の放送受信装置１００の録画予約処理及び予約録画処理の一連の動作の一例を説明する動作シーケンス図である。【０１０１】
図中、Ｓ１１０１〜Ｓ１１０９の処理は、図５に示した動作シーケンス図のＳ５０１〜Ｓ５０９の処理と同様の動作を行うため、説明を省略する。なお、Ｓ１１０５の処理で取得した番組情報データ列には、前述したように、デジタル放送サービスの各放送番組に関する番組識別情報と番組コンテンツ格納先情報の番組関連情報が含まれる。Ｓ１１０９の処理で表示された番組詳細情報表示画面１６３ｂにおいて、ユーザが図示を省略したリモコンのカーソルキー及び決定キーを操作して操作選択キー１６３ｂ４の『録画予約』キーを選択する（Ｓ１１１０）と、番組録画実行部１１０４が、受信機能実行部１１０２の制御に基づいて、予約録画の対象となる放送番組に関する番組識別情報と番組コンテンツ格納先情報の番組関連情報を番組情報データ列から取得する（Ｓ１１１１）。【０１０２】
更に、Ｓ１１１１の処理で取得した前記予約録画の対象となる放送番組に関する番組識別情報と番組コンテンツ格納先情報の番組関連情報は、番組録画実行部１１０４の制御により、番組詳細情報表示画面１６３ｂで設定した各項目の設定内容の情報等と共に録画コンテンツ記憶領域１３００の録画番組情報テーブルに記憶される（Ｓ１１１２）。具体的には、例えば、前記取得した番組識別情報は録画番組情報テーブルの録画番組識別情報１３０７に記憶される。前記取得した番組コンテンツ格納先情報は録画番組コンテンツ格納先情報１３０８に記憶される。また、放送日時情報や放送チャンネル情報や番組タイトル情報が、録画日情報１３０２と録画時刻情報１３０３と録画チャンネル情報１３０４と録画番組タイトル情報１３０５に記憶される。番組詳細情報表示画面１６３ｂの予約設定キー１６３ｂ３の『録画モード』キーで設定した内容は録画モード１３０６に記憶される。【０１０３】
Ｓ１１１２の処理を終えると、番組詳細情報表示画面１６３ｂの表示を終了し、放送番組再生部１１０２ａが視聴中の放送番組の映像を映像表示部１６３に表示する（Ｓ１１１３）。以上の動作を以って、放送受信装置１００の録画予約処理及び予約録画処理の一連の処理を終了する。また、本実施例の放送受信装置１００における録画番組再生処理の動作は、図９に示した動作シーケンス図と同様であるため、説明を省略する。【０１０４】
本実施例の放送受信装置１００では、ＥＰＧを用いた放送番組の選択及び録画予約の処理を行った時点で、前記選択した放送番組の予約録画の処理を同時に実行することが可能となり、使い勝手が良い。また、前記選択した放送番組の録画予約の処理に関して、予約情報記憶領域１２００の予約情報テーブルに記憶する処理を行う必要が無く、処理が簡便となる。即ち、より有用な録画処理や再生処理を可能とする放送受信装置を提供することが可能となる。
【実施例３】
【０１０５】
以下では、本発明の実施例３に関して説明する。なお、本実施例における構成及び効果等は特に断りのない限り実施例２と同様であるものとする。このため、以下では、本実施例と実施例２との相違点を主に説明し、共通する点については重複を避けるため極力説明を省略する。【０１０６】
実施例２で説明した放送受信装置１００では、ＥＰＧを用いた放送番組の選択及び録画予約の処理を行った時点で、前記選択した放送番組の予約録画の処理を実行することが可能である。これは、ＥＰＧを用いた放送番組の選択及び録画予約の処理を終えた後に前記選択した放送番組の予約録画の処理を完了し、前記選択した放送番組の本来の放送開始時間前であっても、前記選択した放送番組に関する映像コンテンツ（即ち、録画番組の番組コンテンツ）の再生処理が可能となることと同意である。一方、前記放送番組を提供するサービス事業者としては、前記放送番組の本来の放送開始時間前に前記放送番組に関する映像コンテンツを視聴されることは好ましくない。したがって、本実施例の放送受信装置１００では、録画番組の再生開始可能日時の制限に対応する。【０１０７】
［録画番組再生時の動作シーケンス］
図１２は、本実施例の放送受信装置１００の録画番組再生処理の動作の一例を説明する動作シーケンス図である。なお、本実施例の放送受信装置１００における録画予約処理及び予約録画処理の一連の動作は、図１１に示した動作シーケンス図と同様であるため、説明を省略する。【０１０８】
図中、Ｓ１２０１〜Ｓ１２０４の処理は、図９に示した動作シーケンス図のＳ９０１〜Ｓ９０４の処理と同様の動作を行うため、説明を省略する。Ｓ１２０４の処理で表示された録画番組一覧表示画面１６３ｃにおいて、ユーザが図示を省略したリモコンのカーソルキー及び決定キーを操作して所定の録画番組の選択を行う（Ｓ１２０５）と、受信機能実行部１１０２は、録画コンテンツ記憶領域１３００に記憶されている録画番組情報テーブルから前記所定の録画番組に関する録画日情報１３０２と録画時刻情報１３０３と録画番組識別情報１３０７と録画番組コンテンツ格納先情報１３０８と録画モード１３０６とを読み出す（Ｓ１２０６）。【０１０９】
なお、本実施例のデジタル放送サービスにおいては、予約録画の対象となる放送番組に関する番組識別情報と番組コンテンツ格納先情報と再生開始可能日時情報が番組関連情報として番組情報データ列に含まれるものとする。また、本実施例の放送受信装置１００においても、録画予約処理及び予約録画処理の一連の動作を図１１に示した動作シーケンス図と同様に行うが、Ｓ１１１２の処理では、予約録画の対象となる放送番組に関する番組識別情報と番組コンテンツ格納先情報を録画コンテンツ記憶領域１３００の録画番組情報テーブルの録画番組識別情報１３０７と録画番組コンテンツ格納先情報１３０８に記憶し、更に、前記予約録画の対象となる放送番組に関する再生開始可能日時情報を録画番組情報テーブルの録画日情報１３０２と録画時刻情報１３０３に記憶する。即ち、Ｓ１２０６の処理で読み出した録画日情報１３０２と録画時刻情報１３０３は、前記選択した所定の録画番組に関する映像コンテンツの再生開始可能日時の情報となる。【０１１０】
Ｓ１２０６の処理の後、受信機能実行部１１０２は、図示を省略した内蔵クロックの時刻情報とＳ１２０６で読み出した録画日情報１３０２と録画時刻情報１３０３を比較する（Ｓ１２０７）。現在時刻が録画日情報１３０２と録画時刻情報１３０３で示される前記選択した所定の録画番組に関する映像コンテンツの再生開始可能日時以前である場合（Ｓ１２０７：Ｎｏ）、受信機能実行部１１０２は、前記選択した所定の録画番組の再生処理を行わず、放送番組再生部１１０２ａが視聴中の放送番組の映像を映像表示部１６３に表示する（Ｓ１２０８）。一方、現在時刻が録画日情報１３０２と録画時刻情報１３０３で示される前記選択した所定の録画番組に関する映像コンテンツの再生開始可能日時以降である場合（Ｓ１２０７：Ｙｅｓ）、Ｓ１２０９〜Ｓ１２１３の処理を実行して、前記選択した所定の録画番組に関する映像コンテンツの再生処理を実行する。なお、Ｓ１２０９〜Ｓ１２１３の処理は、図９に示した動作シーケンス図のＳ９０７〜Ｓ９１１の処理と同様の動作を行うため、説明を省略する。【０１１１】
以上、本実施例の放送受信装置１００においても、実施例１及び実施例２と同様の効果を得ることが可能である。また、本実施例の放送受信装置１００では、録画番組の再生開始可能日時に制限を設けることが可能であり、放送番組の本来の放送開始時間前に前記放送番組に関する映像コンテンツを視聴されることを防止することが可能である。即ち、より有用な録画処理や再生処理を可能とする放送受信装置を提供することが可能となる。【０１１２】
なお、前記再生開始可能日時情報は、放送番組の本来の放送開始時間であっても良いし、放送番組の本来の放送終了時間であっても良いし、その他の任意に指定された時間であっても良い。
【実施例４】
【０１１３】
以下では、本発明の実施例４に関して説明する。なお、本実施例における構成及び効果等は特に断りのない限り実施例３と同様であるものとする。このため、以下では、本実施例と実施例３との相違点を主に説明し、共通する点については重複を避けるため極力説明を省略する。【０１１４】
［録画番組再生時の動作シーケンス］
図１３は、本実施例の放送受信装置１００の録画番組再生処理の動作の一例を説明する動作シーケンス図である。なお、本実施例の放送受信装置１００における録画予約処理及び予約録画処理の一連の動作は、図１１に示した動作シーケンス図と同様に行うものとする。即ち、Ｓ１１１２の処理では、予約録画の対象となる放送番組に関する再生開始可能日時情報を録画番組情報テーブルの録画日情報１３０２と録画時刻情報１３０３に記憶する処理は行わない。【０１１５】
図中、Ｓ１３０１〜Ｓ１３０７の処理は、図９に示した動作シーケンス図のＳ９０１〜Ｓ９０７の処理と同様の動作を行うため、説明を省略する。【０１１６】
サービス事業者サーバ４００の基本動作実行部４１０１は、ＬＡＮ通信部４２１を介して受信した所定の録画番組に関する録画番組識別情報１３０７と録画コンテンツ格納先情報１３０８と録画モード１３０６とを映像コンテンツ管理／配信実行部４１０２に送信する。映像コンテンツ管理／配信実行部４１０２は、前記受信した録画番組識別情報１３０７に基づいてメタデータ記憶領域４２００に記憶されたコンテンツ情報テーブルを参照する。更に、前記受信した録画番組識別情報１３０７と一致する番組識別情報４２０１に対応するコンテンツ格納位置情報４２０２及びコンテンツ名称４２０３を取得することにより、前記所定の録画番組に関する映像コンテンツの選択を行う（Ｓ１３０８）。前記コンテンツ格納位置情報４２０２及びコンテンツ名称４２０３の取得に代替して、前記受信した録画コンテンツ格納先情報１３０８を解釈して取得したディレクトリ情報とファイル名称を用いても良い。【０１１７】
映像コンテンツ管理／配信実行部４１０２は、更に、コンテンツ放送日情報４２０６及びコンテンツ放送時刻情報４２０７を取得し、図示を省略した内蔵クロックの時刻情報と前記取得したコンテンツ放送日情報４２０６及びコンテンツ放送時刻情報４２０７とを比較する（Ｓ１３０９）。メタデータ記憶領域４２００に記憶されたコンテンツ情報テーブルのコンテンツ放送日情報４２０６及びコンテンツ放送時刻情報４２０７は、対応する映像コンテンツの本来の放送日時に関する情報であり、前記映像コンテンツの再生開始可能日時の制限の情報である。【０１１８】
Ｓ１３０９の処理において、現在時刻がコンテンツ放送日情報４２０６とコンテンツ放送時刻情報４２０７で示される前記選択した映像コンテンツの再生開始可能日時以前である場合（Ｓ１３０９：Ｎｏ）、映像コンテンツ管理／配信実行部４１０２は、放送受信装置１００に対してエラーを送信する（Ｓ１３１０）。サービス事業者サーバ４００からエラーを受信（Ｓ１３１１）した放送受信装置１００は、受信機能制御部１１０２の制御により、前記所定の録画番組に関する映像コンテンツの再生処理が実行できない旨をユーザに報知する。更に、放送番組再生部１１０２ａが視聴中の放送番組の映像を映像表示部１６３に表示して（Ｓ１３１２）、一連の処置を終了する。なお、前記報知処理は、前記所定の録画番組に関する映像コンテンツの再生開始可能時間をユーザに明示するようにしても良い。【０１１９】
一方、現在時刻がコンテンツ放送日情報４２０６とコンテンツ放送時刻情報４２０７で示される前記選択した映像コンテンツの再生開始可能日時以降である場合（Ｓ１３０９：Ｙｅｓ）は、Ｓ１３１３〜Ｓ１３１５の処理を実行して、前記選択した所定の録画番組に関する映像コンテンツの再生処理を実行する。なお、Ｓ１３１３〜Ｓ１３１５の処理は、図９に示した動作シーケンス図のＳ９０９〜Ｓ９１１の処理と同様の動作を行うため、説明を省略する。【０１２０】
以上、本実施例の放送受信装置１００においても、実施例３と同様の効果を得ることが可能である。本実施例のデジタル放送サービスにおいては、再生開始可能日時情報を番組データ列に含ませる必要が無く、また、放送受信装置１００では、録画番組の再生開始可能日時の制限に対する処理を行う必要が無い。即ち、より有用な録画処理や再生処理を可能とする放送受信装置を提供することが可能となる。
【実施例５】
【０１２１】
以下では、本発明の実施例５に関して説明する。なお、本実施例における構成及び効果等は特に断りのない限り実施例１と同様であるものとする。このため、以下では、本実施例と実施例１との相違点を主に説明し、共通する点については重複を避けるため極力説明を省略する。【０１２２】
本実施例の放送受信装置１００では、予約録画処理の動作及び録画番組再生処理の動作の際に、録画対象の放送番組（或いは録画番組）に関する映像コンテンツを記憶するコンテンツサーバとの間で認証処理を行う場合の例に関して説明する。【０１２３】
［放送受信装置のソフトウェア構成］
図１４Ａは、本実施例の放送受信装置１００のソフトウェア構成図であり、ＲＯＭ１０３、ＲＡＭ１０４及びストレージ部１１０におけるソフトウェアの構成を示す。本実施例の放送受信装置１００のソフトウェア構成図においては、実施例１で説明した放送受信装置１００のソフトウェア構成図（図２Ｂ）と比較して、放送受信装置１００が各コンテンツサーバに対してアクセスする際のログイン情報等を記憶する認証情報記憶領域１４００がストレージ部１１０に追加されている。【０１２４】
図１４Ｂは、認証情報記憶領域１４００に記憶される認証情報テーブルのデータ形式の一例を説明する概念図である。認証情報テーブルは、整理番号１４０１、サービス名称情報１４０２、接続先情報１４０３、ログイン名情報１４０４、パスワード情報１４０５、クレジットカード情報１４０６、等の情報で構成される。その他の情報を更に備えても良い。【０１２５】
整理番号１４０１は、認証情報テーブルに記憶された各認証情報の管理に用いられる。サービス名称情報１４０２は、放送受信装置１００がアクセスするコンテンツ配信サービスのサービス名称の情報である。接続先情報１４０３は、前記コンテンツ配信サービスを実行するサーバ装置をネットワーク上で識別するための、例えばＩＰアドレスのような識別情報である。ログイン名情報１４０４とパスワード情報１４０５は、放送受信装置１００で前記コンテンツ配信サービスを実行するサーバ装置にアクセスする際に使用するログイン名とパスワードである。クレジットカード情報１４０６は、放送受信装置１００のユーザが所有するクレジットカードに関する情報である。【０１２６】
［サービス事業者サーバの構成］
図１５Ａは、サービス事業者サーバ４００の内部構成の一例を示すブロック図である。本実施例のサービス事業者サーバ４００も、主制御部４０１、システムバス４０２、ＲＡＭ４０４、ストレージ部４１０、ＬＡＮ通信部４２１、で構成される。実施例１で説明したサービス事業者サーバ４００の内部構成（図４Ａ）と比較して、サービス事業者サーバ４００へのアクセスを許可するユーザの情報等を記憶するユーザ情報記憶領域４５００がストレージ部４１０に追加されている。【０１２７】
図１５Ｂは、ユーザ情報記憶領域４５００に記憶されるユーザ情報テーブルのデータ形式の一例を説明する概念図である。ユーザ情報テーブルは、整理番号４５０１、ユーザ名情報４５０２、ユーザ付随情報４５０３、パスワード情報４５０４、有効期限情報４５０５、等の情報で構成される。その他の情報を更に備えても良い。【０１２８】
整理番号４５０１は、ユーザ情報テーブルに記憶された各ユーザ情報の管理に用いられる。ユーザ名情報４５０２は、サービス事業者サーバ４００へのアクセスを許可するユーザを識別するための識別情報である。ユーザ付随情報４５０３は、前記各ユーザに関する付随情報（住所、電話番号、等）である。パスワード情報４５０４は、前記各ユーザがサービス事業者サーバ４００にアクセスするために登録したパスワードである。有効期限情報４５０５は、各ユーザのサービス事業者サーバ４００に対するアクセス許可の有効期限に関する情報である。【０１２９】
以下では、本実施例の放送受信装置１００の動作に関して説明する。【０１３０】
［予約録画時の動作シーケンス］
図１６は、本実施例の放送受信装置１００の予約録画処理の動作の一例を説明する動作シーケンス図である。なお、図中、Ｓ１６０１〜Ｓ１６０６の処理は、図８に示した動作シーケンス図のＳ８０１〜Ｓ８０６の処理と同様であるため、説明を省略する。【０１３１】
Ｓ１６０６の処理で予約録画の対象となる放送番組に関する番組識別情報と番組コンテンツ格納先情報の番組関連情報を取得すると、受信機能実行部１１０２が、前記取得した番組コンテンツ格納先情報を解釈し、前記予約録画の対象となる放送番組に関する映像コンテンツが格納されたコンテンツサーバ（本実施例では、サービス事業者サーバ４００）をネットワーク上で識別するための情報（例えば、ＩＰアドレス情報等）を抽出する。更に、認証情報記憶領域１４００の認証情報テーブルを参照し、サービス事業者サーバ４００に対応するログイン名１４０４とパスワード１４０５を取得する。その後、受信機能実行部１１０２が、サービス事業者サーバ４００に対して、前記取得したログイン名１４０４とパスワード１４０５を送信し、ユーザ認証を要求する（Ｓ１６０７）。なお、サービス事業者サーバ４００に対して送信するログイン名とパスワードは、図示を省略したリモコン等を操作して適宜入力したものを用いるようにしても良い。【０１３２】
サービス事業者サーバ４００の基本動作実行部４１０１は、ＬＡＮ通信部４２１を介して受信したログイン名１４０４とパスワード１４０５とを映像コンテンツ管理／配信実行部４１０２に送信する。映像コンテンツ管理／配信実行部４１０２は、前記受信したログイン名１４０４に基づいてユーザ情報記憶領域４５００に記憶されたユーザ情報テーブルを参照する。更に、前記受信したログイン名１４０４と一致するユーザ名情報４５０２に対応するパスワード情報４５０４を前記受信したパスワード情報１４０５と比較し、更に有効期限情報４５０５を確認してユーザ認証処理を行う（Ｓ１６０８）。Ｓ１６０８の処理において、前記受信したパスワード情報１４０５とパスワード情報４５０４が一致した場合はユーザ認証成功であり、前記受信したパスワード情報１４０５とパスワード情報４５０４が不一致の場合や有効期限情報４５０５に記憶されている情報が有効期限切れを示す場合、前記受信したログイン名１４０４と一致するユーザ名が前記ユーザ情報テーブルに存在しない場合等はユーザ認証失敗である。Ｓ１６０８の処理における認証結果は、映像コンテンツ管理／配信実行部４１０２により、ＬＡＮ通信部４２１を介して放送受信装置１００に送信される。【０１３３】
サービス事業者サーバ４００から認証結果を受信（Ｓ１６０９）した放送受信装置１００は、番組録画実行部１１０４の制御により、前記受信した認証結果の確認を行う（Ｓ１６１０）。その結果、サービス事業者サーバ４００におけるユーザ認証処理に成功した場合（Ｓ１６１０：Ｙｅｓ）は、番組録画実行部１１０４が、Ｓ１６０６の処理で取得した予約録画の対象となる放送番組に関する番組識別情報と番組コンテンツ格納先情報の番組関連情報を、Ｓ１６０１の処理で参照した予約情報記憶領域１２００の予約情報テーブルに記載されている情報等と共に、録画コンテンツ記憶領域１３００の録画番組情報テーブルに記憶する（Ｓ１６１１）。Ｓ１６１１の処理を終えると、予約管理実行部１１０３は、予約情報記憶領域１２００の予約情報テーブルに記憶された予約情報を削除する（Ｓ１６１２）。【０１３４】
一方、サービス事業者サーバ４００におけるユーザ認証処理に失敗した場合（Ｓ１６１０：Ｎｏ）は、Ｓ１６１１の処理を行わずに、予約管理実行部１１０３が、予約情報記憶領域１２００の予約情報テーブルに記憶された予約情報を削除する（Ｓ１６１２）。或いは、分離部１３２から出力された予約録画の対象となる放送番組の番組コンテンツ（ＴＳ或いはＥＳ）をそのまま、或いは、トランスコード処理を行った後に、ストレージ部１１０の録画コンテンツ記憶領域１３００や拡張Ｉ／Ｆ部１２４に接続されたＨＤＤに記憶するように処理しても良い。【０１３５】
［録画番組再生時の動作シーケンス］
図１７は、本実施例の放送受信装置１００の録画番組再生処理の動作の一例を説明する動作シーケンス図である。なお、図中、Ｓ１７０１〜Ｓ１７０６の処理は、図９に示した動作シーケンス図のＳ９０１〜Ｓ９０６の処理と同様であるため、説明を省略する。【０１３６】
Ｓ１７０５の処理で選択した所定の録画番組に関する録画番組識別情報１３０７と録画番組コンテンツ格納先情報１３０８と録画モード１３０６とを、Ｓ１７０６の処理で録画コンテンツ記憶領域１３００に記憶されている録画番組情報テーブルから読み出した後、受信機能実行部１１０２が、前記読み出した録画番組コンテンツ格納先情報１３０８を解釈し、前記録画番組に関する映像コンテンツが格納されたコンテンツサーバ（本実施例では、サービス事業者サーバ４００）をネットワーク上で識別するための情報（例えば、ＩＰアドレス情報等）を抽出する。更に、認証情報記憶領域１４００の認証情報テーブルを参照し、サービス事業者サーバ４００に対応するログイン名１４０４とパスワード１４０５を取得する。その後、受信機能実行部１１０２が、サービス事業者サーバ４００に対して、前記取得したログイン名１４０４とパスワード１４０５を送信し、ユーザ認証を要求する（Ｓ１７０７）。なお、サービス事業者サーバ４００に対して送信するログイン名とパスワードは、図示を省略したリモコン等を操作して適宜入力したものを用いるようにしても良い。【０１３７】
サービス事業者サーバ４００におけるＳ１７０８の処理は、図１６に示した動作シーケンス図のＳ１６０８の処理と同様であるため、説明を省略する。【０１３８】
サービス事業者サーバ４００から認証結果を受信（Ｓ１７０９）した放送受信装置１００は、受信機能実行部１１０２の制御により、前記受信した認証結果の確認を行う（Ｓ１７１０）。その結果、サービス事業者サーバ４００におけるユーザ認証処理に成功した場合（Ｓ１７１０：Ｙｅｓ）は、Ｓ１７１１〜Ｓ１７１５の処理を実行する。なお、Ｓ１７１１〜Ｓ１７１５の処理は、図９に示した動作シーケンス図のＳ９０７〜Ｓ９１１の処理と同様であるため、説明を省略する。以上の動作を以って、放送受信装置１００は、前記所定の録画番組に対する録画番組再生処理を実現する。【０１３９】
一方、サービス事業者サーバ４００におけるユーザ認証処理に失敗した場合（Ｓ１７１０：Ｎｏ）は、Ｓ１７１１〜Ｓ１７１５の処理を行わずに、即ち、前記所定の録画番組に対する録画番組再生処理を行わずに、放送番組再生部１１０２ａが視聴中の放送番組の映像を映像表示部１６３に表示する（Ｓ１７１６）。【０１４０】
以上、前述にて予約録画処理の動作と録画番組再生処理の動作の各動作を説明したように、本実施例の放送受信装置１００においては、予約録画処理の動作及び録画番組再生処理の動作の際に、録画対象の放送番組（或いは録画番組）に関する映像コンテンツを記憶するサービス事業者サーバ４００との間で認証処理を行うことが可能となる。即ち、放送番組を提供するサービス事業者と予め契約を行ったユーザの所有する放送受信装置１００のみが、前記サービス事業者の提供する映像コンテンツを取得することが可能となる。【０１４１】
なお、図１６に示した動作シーケンス図のＳ１６０７の処理、或いは、図１７に示した動作シーケンス図のＳ１７０７の処理において、ログイン名１４０４及びパスワード１４０５と同時にクレジットカード情報１４０６を送信し、予約録画処理或いは録画番組再生処理の際のユーザ認証処理時に、同時に課金処理を行うようにしても良い。例えば、ユーザは、予約録画処理の際に、予約録画の対象となる放送番組に関する映像コンテンツに応じた課金処理を施され、前記映像コンテンツに対する録画番組再生処理の際は無課金で前記映像コンテンツを視聴できて良い。或いは、ユーザは、予約録画の対象となる放送番組の予約録画処理の際には課金処理を施されず、前記放送番組に関する映像コンテンツに対する録画番組再生処理の際には、都度課金処理を施されるものであっても良い。また、前記課金処理は映像コンテンツの再生時間の長さや画質、人気等に応じて適宜金額が変更されるものであって良い。
【実施例６】
【０１４２】
以下では、本発明の実施例６に関して説明する。なお、本実施例における構成及び効果等は特に断りのない限り実施例１と同様であるものとする。このため、以下では、本実施例と実施例１との相違点を主に説明し、共通する点については重複を避けるため極力説明を省略する。【０１４３】
本実施例の放送受信装置１００では、予約録画処理の動作を図８に示した動作シーケンス図と同様の処理で行う。但し、Ｓ８０７の処理では、Ｓ８０６の処理で取得した予約録画の対象となる放送番組に関する番組識別情報と番組コンテンツ格納先情報の番組関連情報を録画コンテンツ記憶領域１３００の録画番組情報テーブルに記憶すると同時に、前記予約録画の対象となる放送番組の番組コンテンツ（ＴＳ或いはＥＳ）を録画コンテンツ記憶領域１３００に記憶するようにする。前記予約録画の対象となる放送番組の番組コンテンツは、番組詳細情報表示画面１６３ｂの予約設定キー１６３ｂ３の『録画モード』キーの設定に基づき、必要に応じてコンテンツ処理部１５１でトランスコード処理を行われて良い。また、録画コンテンツ記憶領域１３００の録画番組情報テーブルの録画番組コンテンツ格納先情報１３０８には、Ｓ８０６の処理で取得した前記番組コンテンツ格納先情報の他、前記番組コンテンツの放送受信装置１００のストレージ内における格納位置に関する情報を記憶するようにする。【０１４４】
また、本実施例のデジタル放送サービスでは、電波塔３００Ｔから送信される放送波により配信される放送番組の各番組コンテンツは１９２０画素×１０８０画素の解像度を有するものとし、サービス事業者サーバ４００から取得可能な前記放送番組に関する映像コンテンツは７６８０画素×４３２０画素の解像度を有するものとする。【０１４５】
［録画番組再生時の動作シーケンス］
図１８は、本実施例の放送受信装置１００の録画番組再生処理の動作の一例を説明する動作シーケンス図である。なお、図中、Ｓ１８０１〜Ｓ１８０６の処理は、図９に示した動作シーケンス図のＳ９０１〜Ｓ９０６の処理と同様であるため、説明を省略する。【０１４６】
Ｓ１８０５の処理で選択した所定の録画番組に関する録画番組識別情報１３０７と録画番組コンテンツ格納先情報１３０８と録画モード１３０６とを、Ｓ１８０６の処理で録画コンテンツ記憶領域１３００に記憶されている録画番組情報テーブルから読み出した後、受信機能実行部１１０２は、コンテンツ配信確認画面を映像表示部１６３に表示する（Ｓ１８０７）。前記コンテンツ配信確認画面は、前記選択した所定の録画番組に対する録画番組再生処理を、サービス事業者サーバ４００から映像コンテンツ（７６８０画素×４３２０画素の解像度）を取得することにより行うか、或いは、録画コンテンツ記憶領域１３００に記憶した番組コンテンツ（１９２０画素×１０８０画素の解像度）を読み出すことにより行うか、をユーザに確認するための画面表示である。【０１４７】
図１９は、Ｓ１８０７の処理で表示されるコンテンツ配信確認画面の一例を説明する画面表示図である。コンテンツ配信確認画面１６３ｄは、前記選択した所定の録画番組に関する映像コンテンツをサービス事業者サーバ４００から取得するか否かをユーザに確認するためのメッセージを表示するメッセージボックス１６３ｄ１と、動作選択のための選択操作キー１６３ｄ２と、で構成される。図示を省略したリモコンのカーソルキー及び決定キーを操作して選択操作キー１６３ｄ２の『はい』キーを選択すると、放送受信装置１００は、サービス事業者サーバ４００から映像コンテンツを取得する処理を実行する。前記リモコンを操作して選択操作キー１６３ｄ２の『いいえ』キーを選択すると、放送受信装置１００は、サービス事業者サーバ４００から映像コンテンツを取得する処理を実行しない。【０１４８】
図１８のＳ１８０７の処理で表示されたコンテンツ配信確認画面１６３ｄにおいて、ユーザが前記リモコンのカーソルキー及び決定キーを操作して選択操作キー１６３ｄ２の『いいえ』キーを選択する（Ｓ１８０７：Ｎｏ）と、番組録画実行部１１０４が、録画番組情報テーブルの録画番組コンテンツ格納先情報１３０８の情報に基づいて、録画コンテンツ記憶領域１３００に記憶されている前記選択した所定の録画番組の番組コンテンツ（１９２０画素×１０８０画素の解像度）を読み出す（Ｓ１８０８）。更に、受信機能実行部１１０２が、前記読み出した番組コンテンツ（１９２０画素×１０８０画素の解像度）を分離部１３２に送信し、分離部１３２における各データ列の分離処理、映像復号部１３３や音声復号部１３４における映像データ列や音声データ列の復号処理、等を行い、映像重畳部１６１及び音声選択部１６２を介して、映像表示部１６３及びスピーカ１６４から放送番組の映像信号及び音声信号を出力する（Ｓ１８１７）。【０１４９】
一方、コンテンツ配信確認画面１６３ｄにおいて、ユーザが前記リモコンのカーソルキー及び決定キーを操作して選択操作キー１６３ｄ２の『はい』キーを選択する（Ｓ１８０７：Ｙｅｓ）と、Ｓ１８０９〜Ｓ１８１６の処理を実行し、サービス事業者サーバ４００から前記選択した所定の録画番組に関する映像コンテンツ（７６８０画素×４３２０画素の解像度）を取得する。なお、前記Ｓ１８０９〜Ｓ１８１６の処理は、図１７に示した動作シーケンス図のＳ１７０７〜Ｓ１７１４の処理と同様であるため、詳細の説明を省略する。更に、受信機能実行部１１０２が、前記取得した映像コンテンツ（７６８０画素×４３２０画素の解像度）を分離部１３２に送信し、分離部１３２における各データ列の分離処理、映像復号部１３３や音声復号部１３４における映像データ列や音声データ列の復号処理、等を行い、映像重畳部１６１及び音声選択部１６２を介して、映像表示部１６３及びスピーカ１６４から放送番組の映像信号及び音声信号を出力する（Ｓ１８１７）。【０１５０】
以上の動作を以って、本実施例の放送受信装置１００の録画番組再生処理を実現する。即ち、本実施例の放送受信装置１００によれば、ユーザは、所定の録画番組の視聴を行う際に、放送受信装置１００のストレージに記憶させた通常画質の番組コンテンツとサービス事業者サーバ４００から取得した高画質の映像コンテンツとを、適宜選択することが可能となる。即ち、より有用な録画処理や再生処理を可能とする放送受信装置を提供することが可能となる。【０１５１】
また、Ｓ１８０９の処理において、ログイン名１４０４及びパスワード１４０５と同時にクレジットカード情報１４０６を送信し、ユーザ認証処理と同時に課金処理を行うようにしても良い。このようにすれば、ユーザは、所定の録画番組の視聴の際に、放送受信装置１００のストレージに記憶させた通常画質の番組コンテンツは無料で、サービス事業者サーバ４００から取得した高画質の映像コンテンツは有料で、前記録画番組に対する録画番組再生処理を行うことが可能となる。【０１５２】
以上、本発明の実施形態の例を、実施例１〜６を用いて説明したが、言うまでもなく、本発明の技術を実現する構成は前記実施例に限られるものではなく、様々な変形例が考えられる。例えば、ある実施例の構成の一部を他の実施例の構成と置き換えることが可能であり、また、ある実施例の構成に他の実施例の構成を加えることも可能である。これらは全て本発明の範疇に属するものである。また、文中や図中に現れる数値やメッセージ等もあくまでも一例であり、異なるものを用いても本発明の効果を損なうことはない。【０１５３】
また、前述の各実施例では、録画処理の動作として、予約情報記憶領域１２００に記憶した予約情報テーブルに基づいた予約録画の処理の動作に関して説明を行ったが、放送番組の視聴中にマニュアル操作により録画処理の動作の場合であっても、同様の効果が得られることは言うまでもない。また、サービス事業者サーバ４００から映像コンテンツを取得した後、分離部１３２や映像復号部１３３等で適宜信号処理を行う際に、前記取得した映像コンテンツをあらためてストレージ部１１０の録画コンテンツ記憶領域に記憶する処理を同時に行うようにしても良い。【０１５４】
前述した本発明の機能等は、それらの一部または全部を、例えば集積回路で設計する等によりハードウェアで実現しても良い。また、マイクロプロセッサユニット等がそれぞれの機能等を実現する動作プログラムを解釈して実行することによりソフトウェアで実現しても良い。ハードウェアとソフトウェアを併用しても良い。【０１５５】
なお、放送受信装置１００を制御する前記ソフトウェアは、製品出荷の時点で予め放送受信装置１００のＲＯＭ１０３及び／またはストレージ部１１０等に格納された状態であっても良い。製品出荷後にインターネット２００上のその他のアプリケーションサーバ５００等からＬＡＮ通信部１２１を介して取得するものであっても良い。また、メモリカードや光ディスク等に格納された前記ソフトウェアを、拡張インタフェース部１２４等を介して取得しても良い。【０１５６】
また、図中に示した制御線や情報線は説明上必要と考えられるものを示しており、必ずしも製品上の全ての制御線や情報線を示しているとは限らない。実際には殆ど全ての構成が相互に接続されていると考えても良い。
【符号の説明】
【０１５７】
１００…放送受信装置、１０１…主制御部、１０２…システムバス、１０３…ＲＯＭ、１０４…ＲＡＭ、１１０…ストレージ部、１２１…ＬＡＮ通信部、１２４…拡張インタフェース部、１３１…チューナ／復調部、１３２…分離部、１３３…映像復号部、１３４…音声復号部、１３５…字幕復号部、１４１…データ放送受信処理部、１４２…データ放送エンジン、１４３…アプリケーション制御部、１４４…アプリケーションエンジン、１５１…コンテンツ処理部、１６１…映像重畳部、１６２…音声選択部、１６３…映像表示部、１６４…スピーカ。
【図１】
2016059681.tif 000003
【図２Ａ】
2016059681.tif 000004
【図２Ｂ】
2016059681.tif 000005
【図２Ｃ】
2016059681.tif 000006
【図２Ｄ】
2016059681.tif 000007
【図３】
2016059681.tif 000008
【図４Ａ】
2016059681.tif 000009
【図４Ｂ】
2016059681.tif 000010
【図５】
2016059681.tif 000011
【図６】
2016059681.tif 000012
【図７】
2016059681.tif 000013
【図８】
2016059681.tif 000014
【図９】
2016059681.tif 000015
【図１０】
2016059681.tif 000016
【図１１】
2016059681.tif 000017
【図１２】
2016059681.tif 000018
【図１３】
2016059681.tif 000019
【図１４Ａ】
2016059681.tif 000020
【図１４Ｂ】
2016059681.tif 000021
【図１５Ａ】
2016059681.tif 000022
【図１５Ｂ】
2016059681.tif 000023
【図１６】
2016059681.tif 000024
【図１７】
2016059681.tif 000025
【図１８】
2016059681.tif 000026
【図１９】
2016059681.tif 000027
【国際調査報告】
2016059681.tif 000028
2016059681.tif 000029
2016059681.tif 000030
2016059681.tif 000031